(57)【特許請求の範囲】
【請求項１】
無線通信システム内の逆方向リンクトラフィックチャネル上での逆方向リンクデータイナクティビティ期間の間逆方向リンク送信電力レベル設定値を管理する方法であって、
アクセス端末が特定の期間の間前記逆方向リンクトラフィックチャネル上でデータを送信しないことを示すメッセージをアクセスネットワークに送信する段階と、
前記送信されたメッセージに応答して、前記アクセス端末に前記アクセス端末の送信電力レベル設定値を小さくするよう指示する1つまたは複数の電力レベル調整メッセージを受信する段階と、
前記1つまたは複数の電力レベル調整メッセージに従って前記アクセス端末の前記送信電力レベル設定値を小さくする段階と、
前記逆方向リンクデータイナクティビティ期間内に、前記アクセス端末からデータ送信が行われる可能性があることを示す条件を検出する段階と、
前記逆方向リンクデータイナクティビティ期間内に、前記アクセス端末が前記逆方向リンクトラフィックチャネル上でデータを送信する可能性があることを示す他のメッセージを前記アクセスネットワークに送信する段階と、
前記送信された他のメッセージに応答して、前記アクセス端末に前記アクセス端末の送信電力レベル設定値を大きくするよう指示する1つまたは複数の追加の電力レベル調整メッセージを受信する段階と、
前記1つまたは複数の追加の電力レベル調整メッセージに従って前記アクセス端末の前記送信電力レベル設定値を大きくする段階とを含む方法。
【請求項２】
前記アクセス端末がデータを送信すると予想されるかあるいはデータを送信していることを示す他のメッセージが前記アクセスネットワークに送信されるまで、前記小さくされた送信電力レベル設定値に基づいて、逆方向リンクデータ送信イナクティビティ期間を終了させるデータ送信とはみなされない周期的なパイロット信号を前記逆方向リンクトラフィックチャネル上で送信する段階をさらに含む、請求項1に記載の方法。
【請求項３】
前記アクセス端末から前記アクセスネットワークにデータを送信すべきであると判定する段階と、
前記大きくされた送信電力レベル設定値に基づいてデータを前記逆方向リンクトラフィックチャネル上で前記アクセスネットワークに送信する段階とをさらに含む、請求項1に記載の方法。
【請求項４】
前記条件は、(i)前記アクセス端末のユーザからのユーザ入力と、(ii)グループ通信セッション用のフロア解放メッセージと、(iii)グループ通信セッション用のダウンリンクイナクティビティ期間と、(iv)前記アクセス端末でのユーザの過去の行動およびユーザの現在の行動の評価に基づく予想の1つまたは複数を含む、請求項3に記載の方法。
【請求項５】
前記アクセス端末から前記アクセスネットワークにデータを送信すべきであると判定する段階と、
前記データが高い優先順位を有する場合に前記送信電力レベル設定値によって要求されるよりも高い送信電力レベルで前記データを送信する段階とをさらに含む、請求項1に記載の方法。
【請求項６】
無線通信システム内の逆方向リンクトラフィックチャネル上での逆方向リンクデータイナクティビティ期間の間逆方向リンク送信電力レベル設定値を管理する方法であって、
アクセス端末からアクセスネットワークへの潜在的な逆方向リンクデータ送信を示す条件が存在するかどうかを逆方向リンクデータ送信イナクティビティ期間中に判定する段階と、
前記潜在的な逆方向リンクデータ送信が前記アクセスネットワークに対して行われる前に、前記アクセス端末の現在の送信電力レベル設定値を特定の成功率を満たすのに十分なレベルに調整することを要求するメッセージを、現在の送信電力レベル設定値に基づく第1の送信電力レベルで送信する段階と、
送信されたメッセージに応答して、前記アクセス端末に前記現在の送信電力レベル設定値を調整するよう指示する1つまたは複数の電力レベル調整メッセージを受信する段階と、
前記1つまたは複数の電力レベル調整メッセージに従って前記アクセス端末の前記現在の送信電力レベル設定値を調整する段階とを含む方法。
【請求項７】
前記調整された送信電力レベル設定値に基づく第2の送信電力レベルで前記アクセスネットワークへの前記潜在的な逆方向リンクデータ送信を行う段階をさらに含む、請求項6に記載の方法。
【請求項８】
前記条件は、(i)前記アクセス端末ユーザからのユーザ入力と、(ii)グループ通信セッション用のフロア解放メッセージと、(iii)グループ通信セッション用のダウンリンクイナクティビティ期間と、(iv)前記アクセス端末でのユーザの過去の行動およびユーザの現在の行動の評価に基づく予想の1つまたは複数を含む、請求項6に記載の方法。
【請求項９】
前記現在の送信電力レベル設定値は、前記逆方向リンクデータ送信イナクティビティ期間の間人為的に低いレベルに設定される、請求項6に記載の方法。
【請求項１０】
前記1つまたは複数のレベル調整メッセージは、前記アクセス端末に前記現在の送信電力レベル設定値を大きくするよう指示する、請求項9に記載の方法。
【請求項１１】
無線通信システム内の逆方向リンクトラフィックチャネル上での逆方向リンクデータイナクティビティ期間の間逆方向リンク送信電力レベル設定値を管理する方法であって、
前記アクセス端末が特定の期間の間前記逆方向リンクトラフィックチャネル上でデータを送信しないことを示すメッセージをアクセスネットワークで受信する段階と、
前記受信されたメッセージに応答して、前記アクセス端末に前記アクセス端末の送信電力レベル設定値を小さくするよう指示する1つまたは複数の電力レベル調整メッセージを送信する段階と、
前記逆方向リンクデータイナクティビティ期間内に、前記アクセス端末が前記逆方向リンクトラフィックチャネル上でデータを送信する可能性があることを示す前記アクセスネットワークへの他のメッセージを受信する段階と、
前記受信された他のメッセージに応答して、前記アクセス端末に前記アクセス端末の送信電力レベル設定値を大きくするよう指示する1つまたは複数の追加の電力レベル調整メッセージを送信する段階とを含む方法。
【請求項１２】
少なくとも前記アクセス端末がデータを送信することが予想されるかあるいはデータを送信していることを示す他のメッセージが前記アクセスネットワークで受信されるまで、前記小さくされた送信電力レベル設定値に基づいて、逆方向リンクデータ送信イナクティビティ期間を終了させるデータ送信とはみなされない周期的なパイロット信号を、前記逆方向リンクトラフィックチャネル上で前記アクセス端末から受信する段階をさらに含む、請求項11に記載の方法。
【請求項１３】
前記大きくされた送信電力レベル設定値に基づいて前記アクセスネットワークからの前記逆方向リンクトラフィックチャネル上で前記アクセス端末からデータを受信する段階をさらに含む、請求項11に記載の方法。
【請求項１４】
データが高い優先順位を有する場合に、前記アクセス端末の小さくされた送信電力レベル設定値によって必要とされるよりも高い送信電力レベルで前記データを受信する段階をさらに含む、請求項11に記載の方法。
【請求項１５】
無線通信システム内の逆方向リンクトラフィックチャネル上での逆方向リンクデータイナクティビティ期間の間逆方向リンク送信電力レベル設定値を管理する方法であって、
潜在的な逆方向リンクデータ送信がアクセスネットワークに対して行われる前に、アクセス端末の現在の送信電力レベル設定値を特定の成功率を満たすのに十分なレベルに調整することを要求するメッセージを、前記アクセス端末から、前記アクセス端末の前記現在の送信電力レベル設定値に基づく第1の送信電力レベルで受信する段階と、
前記受信されたメッセージに応答して、前記アクセス端末に前記現在の送信電力レベル設定値を調整するよう指示する1つまたは複数の電力レベル調整メッセージを送信する段階とを含む方法。
【請求項１６】
前記アクセスネットワークにおいて、前記潜在的な逆方向リンクデータ送信を、前記調整された送信電力レベル設定値に基づく第2の送信電力レベルで受信する段階をさらに含む、請求項15に記載の方法。
【請求項１７】
前記現在の送信電力レベル設定値は、前記逆方向リンクデータ送信イナクティビティ期間の間人為的に低いレベルに設定される、請求項15に記載の方法。
【請求項１８】
前記1つまたは複数のレベル調整メッセージは、前記アクセス端末に前記現在の送信電力レベル設定値を大きくするよう指示する、請求項17に記載の方法。
【請求項１９】
無線通信システム内のアクセス端末であって、逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成されたアクセス端末において、
アクセス端末が特定の期間の間前記逆方向リンクトラフィックチャネル上でデータを送信しないことを示すメッセージをアクセスネットワークに送信する手段と、
前記送信されたメッセージに応答して、前記アクセス端末に前記アクセス端末の送信電力レベル設定値を小さくするよう指示する1つまたは複数の電力レベル調整メッセージを受信する手段と、
前記1つまたは複数の電力レベル調整メッセージに従って前記アクセス端末の前記送信電力レベル設定値を小さくする手段と、
逆方向リンクデータイナクティビティ期間内に、前記アクセス端末からデータ送信が行われる可能性があることを示す条件を検出する手段と、
前記逆方向リンクデータイナクティビティ期間内に、前記アクセス端末が前記逆方向リンクトラフィックチャネル上でデータを送信する可能性があることを示す他のメッセージを前記アクセスネットワークに送信する手段と、
前記送信された他のメッセージに応答して、前記アクセス端末に前記アクセス端末の送信電力レベル設定値を大きくするよう指示する1つまたは複数の追加の電力レベル調整メッセージを受信する手段と、
前記1つまたは複数の追加の電力レベル調整メッセージに従って前記アクセス端末の前記送信電力レベル設定値を大きくする手段とを備えるアクセス端末。
【請求項２０】
無線通信システム内のアクセス端末であって、逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成されたアクセス端末において、
前記アクセス端末からアクセスネットワークへの潜在的な逆方向リンクデータ送信を示す条件が存在するかどうかを逆方向リンクデータ送信イナクティビティ期間中に判定する手段と、
前記潜在的な逆方向リンクデータ送信が前記アクセスネットワークに対して行われる前に、前記アクセス端末の現在の送信電力レベル設定値を特定の成功率を満たすのに十分なレベルに調整することを要求するメッセージを、現在の送信電力レベル設定値に基づく第1の送信電力レベルで送信する手段と、
送信されたメッセージに応答して、前記アクセス端末に前記現在の送信電力レベル設定値を調整するよう指示する1つまたは複数の電力レベル調整メッセージを受信する手段と、
前記1つまたは複数の電力レベル調整メッセージに従って前記アクセス端末の前記現在の送信電力レベル設定値を調整する手段とを備えるアクセス端末。
【請求項２１】
前記潜在的な逆方向リンクデータ送信を、前記調整された送信電力レベル設定値に基づく第2の送信電力レベルで前記アクセスネットワークに対して行う手段をさらに備える、3請求項20に記載のアクセス端末。
【請求項２２】
前記現在の送信電力レベル設定値は、前記逆方向リンクデータ送信イナクティビティ期間の間人為的に低いレベルに設定される、請求項20に記載のアクセス端末。
【請求項２３】
無線通信システム内のアクセスネットワークであって、逆方向リンクトラフィックチャネルがアクセス端末に割り当てられ、少なくとも部分的に逆方向リンク送信電力レベル設定値に基づく送信電力レベルで前記逆方向リンクトラフィックチャネル上でデータを受信器するように構成されたアクセスネットワークにおいて、
前記アクセス端末が特定の期間の間前記逆方向リンクトラフィックチャネル上でデータを送信しないことを示すメッセージをアクセスネットワークで受信する手段と、
前記受信されたメッセージに応答して、前記アクセス端末に前記アクセス端末の送信電力レベル設定値を小さくするよう指示する1つまたは複数の電力レベル調整メッセージを送信する手段と、
逆方向リンクデータイナクティビティ期間内に、前記アクセス端末が前記逆方向リンクトラフィックチャネル上でデータを送信する可能性があることを示す前記アクセスネットワークへの他のメッセージを受信する手段と、
前記受信された他のメッセージに応答して、前記アクセス端末に前記アクセス端末の送信電力レベル設定値を大きくするよう指示する1つまたは複数の追加の電力レベル調整メッセージを送信する手段とを備えるアクセスネットワーク。
【請求項２４】
無線通信システム内のアクセスネットワークであって、逆方向リンクトラフィックチャネルがアクセス端末に割り当てられ、少なくとも部分的に逆方向リンク送信電力レベル設定値に基づく送信電力レベルで前記逆方向リンクトラフィックチャネル上でデータを受信するように構成されたアクセスネットワークにおいて、
潜在的な逆方向リンクデータ送信がアクセスネットワークに対して行われる前に、アクセス端末の現在の送信電力レベル設定値を特定の成功率を満たすのに十分なレベルに調整することを要求するメッセージを、前記アクセス端末の前記現在の送信電力レベル設定値に基づく第1の送信電力レベルで前記アクセス端末から受信する手段と、
前記受信されたメッセージに応答して、前記アクセス端末に前記現在の送信電力レベル設定値を調整するよう指示する1つまたは複数の電力レベル調整メッセージを送信する手段とを備えるアクセスネットワーク。
【請求項２５】
前記アクセスネットワークにおいて、前記潜在的な逆方向リンクデータ送信を、前記調整された送信電力レベル設定値に基づく第2の送信電力レベルで受信する手段をさらに含む、請求項24に記載のアクセスネットワーク。
【請求項２６】
前記現在の送信電力レベル設定値は、前記逆方向リンクデータ送信イナクティビティ期間の間人為的に低いレベルに設定される、請求項24に記載のアクセスネットワーク。
【請求項２７】
無線通信システム内のアクセス端末であって、逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成されたアクセス端末において、
アクセス端末が特定の期間の間前記逆方向リンクトラフィックチャネル上でデータを送信しないことを示すメッセージをアクセスネットワークに送信するように構成された論理と、
前記送信されたメッセージに応答して、前記アクセス端末に前記アクセス端末の送信電力レベル設定値を小さくするよう指示する1つまたは複数の電力レベル調整メッセージを受信するように構成された論理と、
前記1つまたは複数の電力レベル調整メッセージに従って前記アクセス端末の前記送信電力レベル設定値を小さくするように構成された論理と、
逆方向リンクデータイナクティビティ期間内に、前記アクセス端末からデータ送信が行われる可能性があることを示す条件を検出するように構成された論理と、
前記逆方向リンクデータイナクティビティ期間内に、前記アクセス端末が前記逆方向リンクトラフィックチャネル上でデータを送信する可能性があることを示す他のメッセージを前記アクセスネットワークに送信するように構成された論理と、
前記送信された他のメッセージに応答して、前記アクセス端末に前記アクセス端末の送信電力レベル設定値を大きくするよう指示する1つまたは複数の追加の電力レベル調整メッセージを受信するように構成された論理と、
前記1つまたは複数の追加の電力レベル調整メッセージに従って前記アクセス端末の前記送信電力レベル設定値を大きくするように構成された論理とを備えるアクセス端末。
【請求項２８】
無線通信システム内のアクセス端末であって、逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成されたアクセス端末において、
前記アクセス端末からアクセスネットワークへの潜在的な逆方向リンクデータ送信を示す条件が存在するかどうかを逆方向リンクデータ送信イナクティビティ期間中に判定するように構成された論理と、
前記潜在的な逆方向リンクデータ送信が前記アクセスネットワークに対して行われる前に、前記アクセス端末の現在の送信電力レベル設定値を特定の成功率を満たすのに十分なレベルに調整することを要求するメッセージを、現在の送信電力レベル設定値に基づく第1の送信電力レベルでアクセスネットワークに送信するように構成された論理と、
送信されたメッセージに応答して、前記アクセス端末に前記現在の送信電力レベル設定値を調整するよう指示する1つまたは複数の電力レベル調整メッセージを受信するように構成された論理と、
前記1つまたは複数の電力レベル調整メッセージに従って前記アクセス端末の前記現在の送信電力レベル設定値を調整するように構成された論理とを備えるアクセス端末。
【請求項２９】
前記潜在的な逆方向リンクデータ送信を、前記調整された送信電力レベル設定値に基づく第2の送信電力レベルで前記アクセスネットワークに対して行うように構成された論理をさらに備える、請求項28に記載のアクセス端末。
【請求項３０】
前記現在の送信電力レベル設定値は、前記逆方向リンクデータ送信イナクティビティ期間の間人為的に低いレベルに設定される、請求項28に記載のアクセス端末。
【請求項３１】
無線通信システム内のアクセスネットワークであって、逆方向リンクトラフィックチャネルがアクセス端末に割り当てられ、少なくとも部分的に逆方向リンク送信電力レベル設定値に基づく送信電力レベルで前記逆方向リンクトラフィックチャネル上でデータを受信するように構成されたアクセスネットワークにおいて、
前記アクセス端末が特定の期間の間前記逆方向リンクトラフィックチャネル上でデータを送信しないことを示すメッセージをアクセスネットワークで受信するように構成された論理と、
前記受信されたメッセージに応答して、前記アクセス端末に前記アクセス端末の送信電力レベル設定値を小さくするよう指示する1つまたは複数の電力レベル調整メッセージを送信するように構成された論理と、
逆方向リンクデータイナクティビティ期間内に、前記アクセス端末が前記逆方向リンクトラフィックチャネル上でデータを送信する可能性があることを示す前記アクセスネットワークへの他のメッセージを受信するように構成された論理と、
前記受信された他のメッセージに応答して、前記アクセス端末に前記アクセス端末の送信電力レベル設定値を大きくするよう指示する1つまたは複数の追加の電力レベル調整メッセージを送信するように構成された論理とを備えるアクセスネットワーク。
【請求項３２】
無線通信システム内のアクセスネットワークであって、逆方向リンクトラフィックチャネルがアクセス端末に割り当てられ、少なくとも部分的に逆方向リンク送信電力レベル設定値に基づく送信電力レベルで前記逆方向リンクトラフィックチャネル上でデータを受信するように構成されたアクセスネットワークにおいて、
潜在的な逆方向リンクデータ送信がアクセスネットワークに対して行われる前に、アクセス端末の現在の送信電力レベル設定値を特定の成功率を満たすのに十分なレベルに調整することを要求するメッセージを、前記アクセス端末の前記現在の送信電力レベル設定値に基づく第1の送信電力レベルで前記アクセス端末から受信するように構成された論理と、
前記受信されたメッセージに応答して、前記アクセス端末に前記現在の送信電力レベル設定値を調整するよう指示する1つまたは複数の電力レベル調整メッセージを送信するように構成された論理とを備えるアクセスネットワーク。
【請求項３３】
前記アクセスネットワークにおいて、前記潜在的な逆方向リンクデータ送信を、前記調整された送信電力レベル設定値に基づく第2の送信電力レベルで受信するように構成された論理をさらに含む、請求項32に記載のアクセスネットワーク。
【請求項３４】
前記現在の送信電力レベル設定値は、前記逆方向リンクデータ送信イナクティビティ期間の間人為的に低いレベルに設定される、請求項32に記載のアクセスネットワーク。
【請求項３５】
逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成された無線通信システム内のアクセス端末によって実行されたときに、前記アクセス端末に動作を実行させる命令を備えるコンピュータ可読媒体であって、前記命令は、
アクセス端末が特定の期間の間前記逆方向リンクトラフィックチャネル上でデータを送信しないことを示すメッセージをアクセスネットワークに送信するプログラムコードと、
前記送信されたメッセージに応答して、前記アクセス端末に前記アクセス端末の送信電力レベル設定値を小さくするよう指示する1つまたは複数の電力レベル調整メッセージを受信するプログラムコードと、
前記1つまたは複数の電力レベル調整メッセージに従って前記アクセス端末の前記送信電力レベル設定値を小さくするプログラムコードと、
逆方向リンクデータイナクティビティ期間内に、前記アクセス端末からデータ送信が行われる可能性があることを示す条件を検出するプログラムコードと、
前記逆方向リンクデータイナクティビティ期間内に、前記アクセス端末が前記逆方向リンクトラフィックチャネル上でデータを送信する可能性があることを示す他のメッセージを前記アクセスネットワークに送信するプログラムコードと、
前記送信された他のメッセージに応答して、前記アクセス端末に前記アクセス端末の送信電力レベル設定値を大きくするよう指示する1つまたは複数の追加の電力レベル調整メッセージを受信するプログラムコードと、
前記1つまたは複数の追加の電力レベル調整メッセージに従って前記アクセス端末の前記送信電力レベル設定値を大きくするプログラムコードとを含むコンピュータ可読媒体。
【請求項３６】
逆方向リンクトラフィックチャネルが割り当てられ、少なくとも部分的に逆方向リンク送信電力レベル設定値に基づく送信電力レベルで前記逆方向リンクトラフィックチャネル上でデータを送信するように構成された無線通信システム内のアクセス端末によって実行されたときに、前記アクセス端末に動作を実行させる命令を備えるコンピュータ可読媒体であって、前記命令は、
前記アクセス端末からアクセスネットワークへの潜在的な逆方向リンクデータ送信を示す条件が存在するかどうかを逆方向リンクデータ送信イナクティビティ期間中に判定するプログラムコードと、
前記潜在的な逆方向リンクデータ送信が前記アクセスネットワークに対して行われる前に、前記アクセス端末の現在の送信電力レベル設定値を特定の成功率を満たすのに十分なレベルに調整することを要求するメッセージを、現在の送信電力レベル設定値に基づく第1の送信電力レベルでアクセスネットワークに送信するプログラムコードと、
送信されたメッセージに応答して、前記アクセス端末に前記現在の送信電力レベル設定値を調整するよう指示する1つまたは複数の電力レベル調整メッセージを受信するプログラムコードと、
前記1つまたは複数の電力レベル調整メッセージに従って前記アクセス端末の前記現在の送信電力レベル設定値を調整するプログラムコードとを含むコンピュータ可読媒体。
【請求項３７】
前記潜在的な逆方向リンクデータ送信を、前記調整された送信電力レベル設定値に基づく第2の送信電力レベルで前記アクセスネットワークに対して行うプログラムコードをさらに含む、請求項36に記載のコンピュータ可読媒体。
【請求項３８】
前記現在の送信電力レベル設定値は、前記逆方向リンクデータ送信イナクティビティ期間の間人為的に低いレベルに設定される、請求項37に記載のコンピュータ可読媒体。
【請求項３９】
無線通信システム内のアクセスターミナル、無線通信システム内のアクセスネットワークによって実行されたときに、逆方向リンクトラフィックチャネルがアクセス端末に割り当てられ、少なくとも部分的に逆方向リンク送信電力レベル設定値に基づく送信電力レベルで前記逆方向リンクトラフィックチャネル上でデータを受信するように構成されたアクセスネットワークに動作を実行させる命令を備えるコンピュータ可読媒体であって、前記命令は、
前記アクセス端末が特定の期間の間前記逆方向リンクトラフィックチャネル上でデータを送信しないことを示すメッセージをアクセスネットワークで受信するプログラムコードと、
前記受信されたメッセージに応答して、前記アクセス端末に前記アクセス端末の送信電力レベル設定値を小さくするよう指示する1つまたは複数の電力レベル調整メッセージを送信するプログラムコードと、
逆方向リンクデータイナクティビティ期間内に、前記アクセス端末が前記逆方向リンクトラフィックチャネル上でデータを送信する可能性があることを示す前記アクセスネットワークへの他のメッセージを受信するプログラムコードと、
前記受信された他のメッセージに応答して、前記アクセス端末に前記アクセス端末の送信電力レベル設定値を大きくするよう指示する1つまたは複数の追加の電力レベル調整メッセージを送信するプログラムコードとを備えるコンピュータ可読媒体。
【請求項４０】
無線通信システム内のアクセスターミナル、無線通信システム内のアクセスネットワークによって実行されたときに、逆方向リンクトラフィックチャネルが割り当てられ、少なくとも部分的に逆方向リンク送信電力レベル設定値に基づく送信電力レベルで前記逆方向リンクトラフィックチャネル上でデータを受信するように構成されたアクセスネットワークに動作を実行させる命令を備えるコンピュータ可読媒体であって、前記命令は、
潜在的な逆方向リンクデータ送信がアクセスネットワークに対して行われる前に、アクセス端末の現在の送信電力レベル設定値を特定の成功率を満たすのに十分なレベルに調整することを要求するメッセージを、前記アクセス端末の前記現在の送信電力レベル設定値に基づく第1の送信電力レベルで前記アクセス端末から受信するプログラムコードと、
前記受信されたメッセージに応答して、前記アクセス端末に前記現在の送信電力レベル設定値を調整するよう指示する1つまたは複数の電力レベル調整メッセージを送信するプログラムコードとを含むコンピュータ可読媒体。
【請求項４１】
前記アクセスネットワークにおいて、前記潜在的な逆方向リンクデータ送信を、前記調整された送信電力レベル設定値に基づく第2の送信電力レベルで受信するように構成されたプログラムコードをさらに含む、請求項40に記載のコンピュータ可読媒体。
【請求項４２】
前記現在の送信電力レベル設定値は、前記逆方向リンクデータ送信イナクティビティ期間の間人為的に低いレベルに設定される、請求項40に記載のコンピュータ可読媒体。
【発明の詳細な説明】
【技術分野】
【０００１】
米国特許法第119条に基づく優先権の主張
本特許出願は、2009年4月8日に出願され、本発明の譲受人に譲渡され、引用によって本明細書に明示的に組み込まれる、「MANAGING A REVERSE LINK TRANSMISSION POWER LEVEL SETPOINT DURING PERIODS OF INACTIVITY ON THE REVERSE LINK IN A WIRELESS COMMUNICATIONS SYSTEM」という名称の米国特許仮出願第61/167707号に対する優先権を主張するものである。
【０００２】
本発明の実施形態は、無線通信システム内の逆方向リンク上でのイナクティビティ期間の間逆方向リンク送信電力レベル設定値を管理する。
【背景技術】
【０００３】
第1世代のアナログ無線電話サービス(1G)、第2世代(2G)のデジタル無線電話サービス(中間の2.5Gおよび2.75Gネットワークを含む)、および第3世代(3G)の高速データ/インタネットに接続できる無線サービスを含む様々な世代の無線通信システムが開発されている。現在、Cellular and Personal Communications Service (PCS)システムを含む多数の異なる種類の無線通信システムが使用されている。公知のセルラー方式の例には、セルラーAnalog Advanced Mobile Phone Systems (AMPS)、ならびに符号分割多元接続(CDMA)、周波数分割多元接続(FDMA)、時分割多元接続(TDMA)、Global System for Mobile access (GSM（登録商標）)式のTDMA、およびTDMA技術とCDMA技術の両方を使用する新しいハイブリッドデジタル通信システムに基づくデジタルセルラーシステムが含まれる。
【０００４】
CDMA移動通信を実現する方法は、米国で米国通信工業会/電子機械工業会によって、本明細書ではIS-95と呼ばれる「Mobile Station-Base Station Compatibility Standard for Dual-Mode Wideband Spread Spectrum Cellular System」という名称のTIA/EIA/IS-95-Aにおいて標準化された。結合されたAMPS & CDMAシステムが、TIA/EIA標準IS-98に記載されている。他の通信システムが、IMT-2000/UM、すなわち広帯域CDMA(WCDMA)、CDMA2000(たとえば、CDMA2000 1xEV-DO標準など)、またはTD-SCDMAと呼ばれるものを対象とするInternational Mobile Telecommunications System 2000/Universal Mobile Telecommunications System標準に記載されている。
【０００５】
無線通信システムでは、移動局、ハンドセット、またはアクセス端末(AT)は、基地局自体に隣接するかあるいは基地局自体の周囲に位置する特定の地理的領域内の通信リンクまたはサービスをサポートする固定位置基地局(セルサイトまたはセルとも呼ばれる)から信号を受信する。基地局は、アクセスネットワーク(AN)/無線アクセスネットワーク(RAN)へのエントリポイント、一般的には、サービス品質(QoS)要件に基づいてトラフィックを区別する方法をサポートするインタネット技術タスクフォース(IETF)による標準的なプロトコルを使用するパケットデータネットワークへのエントリポイントを構成する。したがって、基地局は一般に、無線インタフェースによってATとやり取りし、インタネットプロトコル(IP)ネットワークデータパケットによってANとやり取りする。
【０００６】
無線通信システムでは、プッシュトゥトーク(PTT)機能がサービスセクタおよび消費者に普及しつつある。PTTは、CDMA、FDMA、TDMA、GSM（登録商標）のような標準的な通信無線インフラストラクチャを介して動作する「ディスパッチ」音声サービスをサポートすることができる。ディスパッチモデルでは、エンドポイント(AT)同士間の通信が仮想グループ内で行われ、1人の「話し手」の声が1人または複数の「聞き手」に送信される。この種の通信の単一のインスタンスは一般に、ディスパッチ呼または単にPTTセルと呼ばれる。PTT呼は、呼の特性を定義するグループのインスタンス化である。グループは基本的に、メンバーリスト、およびグループ名またはグループIDのような関連する情報によって定義される。
【０００７】
従来、無線通信網内のデータパケットは、単一の宛先端末またはアクセス端末に送信されるように構成されている。データを単一の宛先に送信することは「ユニキャスト」と呼ばれる。移動通信が増大するにつれて、特定のデータを複数のアクセス端末に一斉に送信する能力がますます重要になっている。したがって、複数の宛先または目標アクセス端末への同じパケットまたはメッセージの一斉データ送信をサポートするプロトコルが採用されている。「ブロードキャスト」は、(たとえば、特定のサービスプロバイダなどが対象とする特定のセル内の)すべての宛先またはアクセス端末へのデータパケットの送信を指し、一方、「マルチキャスト」は、宛先またはアクセス端末の特定のグループにデータパケットを送信することを指す。一例では、特定の宛先グループすなわち「マルチキャストグループ」は、2つ以上でありかつ(たとえば、特定のサービスプロバイダなどが対象とする特定のグループ内の)考えられるすべての宛先またはアクセス端末よりも少ない宛先またはアクセス端末を含んでよい。しかし、少なくともある状況では、マルチキャストグループが、ユニキャストと同様に1つのアクセス端末のみを備えるか、あるいはマルチキャストグループが、ブロードキャストと同様に、(たとえば、セルまたはセクタ内の)すべてのアクセス端末を備えることも考えられる。
【０００８】
ブロードキャストおよび/またはマルチキャストは、複数の順次ユニキャスト動作を実行してマルチキャストグループに対処したり、複数のデータ送信を同時に処理する固有のブロードキャスト/ユニキャストチャネル(BCH)を割り当てたりすることのような多数の方法で、無線通信システム内で実行することができる。プッシュトゥトーク通信にブロードキャストチャネルを使用する従来のシステムは、2007年3月1日に出願され、「Push-To-Talk Group Call System Using CDMA 1x-EVDO Cellular Network」という名称を有し、内容が引用によって本明細書に全体的に組み込まれる米国特許出願第2007/0049314号に記載されている。米国特許出願第2007/0049314号に記載されているように、従来のシグナリング技術を使用することによってブロードキャストチャネルがプッシュトゥトーク呼に使用されてよい。ブロードキャストチャネルを使用すると、従来のユニキャスト技術よりも帯域幅要件を改善することができるが、ブロードキャストチャネルの従来のシグナリングでは依然として追加的なオーバヘッドおよび/または遅延が生じる可能性があり、システム性能が低下する恐れがある。
【０００９】
3rd Generation Partnership Project 2 (「3GPP2」)は、CDMA2000ネットワークにおけるマルチキャスト通信をサポートするブロードキャスト-マルチキャストサービス(BCMCS)仕様を定義している。したがって、「CDMA2000 High Rate Broadcast-Multicast Packet Data Air Interface Specification」という名称を有する、2006年2月14日付けの、3GPP2のBCMCS仕様版、すなわちVersion 1.0 C.S0054-Aが引用によって本明細書に全体的に組み込まれる。
【先行技術文献】
【特許文献】
【００１０】
【特許文献１】米国特許出願第2007/0049314号
【非特許文献】
【００１１】
【非特許文献１】「CDMA2000 High Rate Broadcast-Multicast Packet Data Air Interface Specification」
【非特許文献２】「A Reverse Link Outer-Loop Power Control Algorithm for CDMA2000 1xEVsystems」Rashid AttarおよびE.Esteves著、2002年8月7日発行、Communications, 2002. ICC 2002. IEEE International Conference、573-578頁
【発明の概要】
【課題を解決するための手段】
【００１２】
実施態様は、無線通信システム内の逆方向リンクトラフィックチャネル上でのデータイナクティビティ期間の間逆方向リンク送信電力レベル設定値を管理することを含む。アクセス端末では、逆方向リンクデータイナクティブ状態が時間しきい値を超えたことが検出されると、メッセージが、生成され、アクセスネットワークが測定によって送信統計を取るアクセス端末の現在の送信電力レベル設定値を調整すべきかどうかを判定するのに十分な電力レベルで逆方向リンクトラフィックチャネル上で送信される。あるいは、アクセス端末は、まもなく逆方向リンクデータイナクティビティ期間になることをアクセスネットワークに通知し、次にアクセス端末の送信電力レベル設定値を小さくして逆方向リンクデータイナクティビティ期間中の電力消費量を少なくする。次に、アクセス端末は、潜在的な逆方向リンクデータ送信を検出すると、1つまたは複数のメッセージを送信してアクセスネットワークにアクセス端末の送信電力レベル設定値を修正させる。
【００１３】
本発明の実施形態およびそれに伴う利点の多くは、以下の詳細な説明を参照し、本発明の制限ではなく例示のためにのみ提示された添付の図面に関連して検討することによってよりよく理解されるため、該実施形態および利点をより完全に理解するのは容易である。
【図面の簡単な説明】
【００１４】
【図１】本発明の少なくとも1つの実施形態によるアクセス端末およびアクセスネットワークをサポートする無線ネットワークアーキテクチャの図である。
【図２】本発明の例示的な実施形態によるキャリアネットワークを示す図である。
【図３】本発明の少なくとも1つの実施形態によるアクセス端末の図である。
【図４Ａ】通信セッションの現在のフロアホルダ用の逆方向リンク送信電力レベル設定値を管理する従来の方法を示す図である。
【図４Ｂ】データイナクティビティ期間の間、通信セッションに参加する1つまたは複数のアクセス端末用の逆方向リンク送信電力レベルを管理する従来の方法を示す図である。
【図４Ｃ】データイナクティビティ期間の間、通信セッションに参加する1つまたは複数のアクセス端末用の逆方向リンク送信電力レベルを管理する他の従来の方法を示す図である。
【図５Ａ】本発明の実施形態による、逆方向リンクデータ送信イナクティビティ期間の間、通信セッションに参加する1つまたは複数のアクセス端末用の逆方向リンク送信電力レベルを管理するプロセスを示す図である。
【図５Ｂ】本発明の実施形態による図5Aのプロセスの続きを示す図である。
【図６Ａ】本発明の実施形態による、逆方向リンクデータ送信イナクティビティ期間の間、通信セッションに参加する1つまたは複数のアクセス端末用の逆方向リンク送信電力レベル設定値を管理する他のプロセスを示す図である。
【図６Ｂ】本発明の実施形態による、図4Aで確立された通信セッションに対して実行される図6Aのプロセスの一部を示す図である。
【図６Ｃ】本発明の実施形態による図6Bのプロセスの続きを示す図である。
【図６Ｄ】本発明の実施形態による図6Bのプロセスのさらなる続きを示す図である。
【発明を実施するための形態】
【００１５】
本発明の各態様は、本発明の特定の実施形態に関する以下の説明および関連する図面で開示される。本発明の範囲から逸脱せずに他の実施形態が考案されてよい。また、本発明の関連する詳細を曖昧にしないように、本発明の公知の要素については詳しく説明せず、あるいはそのような要素を省略する。
【００１６】
語「例示的な」および/または「例」は、本明細書では、「一例として働く」ことを意味する。本明細書において「例示的」および/または「例」として記載された実施形態は、必ずしも他の実施形態よりも好ましいかあるいは有利であると解釈すべきものではない。同様に、語「本発明の実施形態」は、本発明のすべての実施形態が当該の特徴、利点、または動作モードを含むことを要求するものではない。
【００１７】
また、多くの実施形態は、たとえばコンピューティングデバイスの要素によって実行すべき動作のシーケンスに関して記載されている。本明細書に記載された様々な動作を特定の回路(たとえば、特定用途向け集積回路(ASIC))、1つまたは複数のプロセッサによって実行されるプログラム命令、あるいはその両方の組み合わせによって実行できることが認識されよう。また、本明細書に記載されたこれらの動作シーケンスは、実行されたときに関連するプロセッサに本明細書に記載された機能を実行させる対応する1組のコンピュータ命令を記憶している任意の形態のコンピュータ可読記憶媒体の範囲内で完全に実現されるとみなされてよい。したがって、本発明の様々な態様は、すべての形態が、請求される主題の範囲内であると考えられるいくつかの異なる形態で実施されてよい。また、本明細書で説明する各実施形態について、任意のそのような実施形態の対応する形態が、たとえば、記載された動作を実行するように「構成された論理」として本明細書に記載されることがある。
【００１８】
本明細書ではアクセス端末(AT)と呼ばれるHigh Data Rate (HDR)加入者ステーションは、移動局であっても固定局であってもよく、本明細書ではモデムプールトランシーバ(MPT)または基地局(BS)と呼ばれる1つまたは複数のHDR基地局と通信することができる。アクセス端末は、モデムプールコントローラ(MPC)、基地局コントローラ(BSC)、および/またはパケット制御機能(PCF)と呼ばれるHDR基地局コントローラに対して1つまたは複数のモデムプールトランシーバを通じてデータパケットを送受信する。モデムプールトランシーバおよびモデムプールコントローラは、アクセスネットワークと呼ばれるネットワークの一部である。アクセスネットワークは、複数のアクセス端末間でデータパケットを転送する。
【００１９】
アクセスネットワークは、企業イントラネットまたはインタネットのような、アクセスネットワークの外部の他のネットワークにさらに接続してよく、各アクセス端末とそのような外部ネットワークとの間でデータパケットを転送することができる。1つまたは複数のモデムプールトランシーバとのアクティブトラフィックチャネル接続を確立したアクセス端末は、アクティブアクセス端末と呼ばれ、トラフィック状態にあると言われる。1つまたは複数のモデムプールトランシーバとのアクティブトラフィックチャネル接続を確立する過程にあるアクセス端末は、接続セットアップ状態にあると言われる。アクセス端末は、たとえば光ファイバまたは同軸ケーブルを使用して、無線チャネルまたは有線チャネルを通して通信する任意のデータデバイスであってよい。アクセス端末はさらに、PCカード、コンパクトフラッシュ（登録商標）、外部または内部モデム、あるいは無線または有線電話を含むがそれらに限らない数種類のデバイスのいずれかであってよい。アクセス端末がモデムプールトランシーバに信号を送信するときに使用する通信リンクは、逆方向リンクまたはトラフィックチャネルと呼ばれる。モデムプールトランシーバがアクセス端末に信号を送信するときに使用する通信リンクは、転送リンクまたはトラフィックチャネルと呼ばれる。本明細書では、語トラフィックチャネルは順方向リンクを指すことも逆方向リンクを指すこともある。
【００２０】
図1は、本発明の少なくとも1つの実施形態による無線システム100の例示的な一実施形態のブロック図である。システム100は、パケット交換データネットワーク(たとえば、イントラネット、インタネット、および/またはキャリアネットワーク126)とアクセス端末102、108、110、112とのデータ接続性を実現するネットワーク機器に携帯電話102などのアクセス端末を接続することのできるアクセスネットワークまたは無線アクセスネットワーク(RAN) 120と無線インタフェース104を介して通信するアクセス端末102を含んでよい。図示のように、アクセス端末は、携帯電話102、パーソナルデジタルアシスタント108、図1では2方向テキストポケットベル（pager）として示されているポケットベル110、または場合によっては、無線通信ポータルを有する別個のコンピュータプラットフォーム112であってよい。したがって、本発明の実施形態は、無線通信ポータルを含むか、あるいは無線モデム、PCMCIAカード、パーソナルコンピュータ、電話、またはそれらの任意の組み合わせもしくはそれらの一部の組み合わせを含むがそれらに限らない無線通信機能を有する任意の形態のアクセス端末上で実現することができる。また、本明細書では、語「アクセス端末」、「無線デバイス」、「クライアントデバイス」、「移動端末」、およびそれらの変化形を交互に用いてよい。
【００２１】
再び図1を参照すると分かるように、無線ネットワーク100の構成要素および本発明の例示的な実施形態の要素の相互関係は、図示の構成に限定されない。システム100は、例示的なものに過ぎず、無線クライアントコンピューティングデバイス102、108、110、112のようなリモートアクセス端末が、無線によって互いに通信しかつ/あるいは無線インタフェース104、ならびにキャリアネットワーク126、インタネット、および/または他のリモートサーバを制限なしに含むRAN120を介して接続された構成要素との間で通信するのを可能にする任意のシステムを含むことができる。
【００２２】
RAN120は、基地局コントローラ/パケット制御機能(BSC/PCF) 122に送信されるメッセージ(通常データパケットとして送信される)を制御する。BSC/PCF122は、パケットデータサービスノード160(「PDSN」)とアクセス端末102/108/110/112との間でシグナリングを行い、ベアラチャネル(すなわち、データチャネル)を確立し、切断する。リンク層暗号化が有効である場合、BSC/PCF122はまた、コンテントを無線インタフェース104を介して転送する前に暗号化する。BSC/PCF122の機能は、当技術分野で公知であり、説明を簡単にするため以下では説明しない。キャリアネットワーク126は、ネットワーク、インタネット、および/または公衆交換電話網(PSTN)によってBSC/PCF122と通信してよい。あるいは、BSC/PCF122は直接インタネットまたは外部ネットワークに接続されてよい。通常、キャリアネットワーク126とBSC/PCF122との間のネットワークまたはインタネット接続はデータを転送し、PSTNは音声情報を転送する。BSC/PCF122は、複数の基地局(BS)またはモデムプールトランシーバ(MPT)124に接続されてよい。キャリアネットワークと同様に、BSC/PCF122は通常、データ転送および/または音声情報のためにネットワーク、インタネット、および/またはPSTNによってMPT/BS124に接続される。MPT/BS124は、データメッセージを無線で携帯電話102などのアクセス端末にブロードキャストすることができる。MPT/BS124、BSC/PCF122、および他の構成要素は、当技術分野で公知のようにRAN120を形成してよい。しかし、他の構成を使用してもよく、本発明は図示の構成に限定されない。たとえば、他の実施形態では、BSC/PCF122の機能および1つまたは複数のMPT/BS124は、BSC/PCF122とMPT/BS124の両方の機能を有する単一の「ハイブリッド」モジュールとして統合されてよい。
【００２３】
図2は、本発明の実施形態によるキャリアネットワーク126を示している。図2の実施形態では、キャリアネットワーク126は、パケットデータサービングノード(PDSN)160、ブロードキャストサービングノード(BSN)165、アプリケーションサーバ170、およびインタネット175を含む。しかし、他の実施形態では、アプリケーションサーバ170および他の構成要素は、キャリアネットワークの外部に配置されてよい。PDSN160は、たとえばcdma2000無線アクセスネットワーク(RAN)(たとえば、図1のRAN120)を利用する移動局(たとえば、図1の102、108、110、112のようなアクセス端末)が、インタネット175、イントラネット、および/またはリモートサーバ(たとえば、アプリケーションサーバ170)にアクセスできるようにする。PDSN160は、アクセスゲートウェイとして働き、簡単なIPおよび移動IPアクセス、外部代理人サポート、およびパケット転送を実行する。PDSN160は、Authentication, Authorization, and Accounting (AAA)サーバ用のクライアントおよび他の支援インフラストラクチャとして働くことができ、当技術分野で公知のように移動局がIPネットワークへのゲートウェイを利用できるようにする。図2に示されているように、PDSN160は、従来のA10接続を介してRAN120(たとえば、BSC/PCF122)と通信してよい。A10接続は当技術分野で公知であり、説明を簡単にするためA10接続についてはこれ以上説明しない。
【００２４】
図2を参照すると分かるように、ブロードキャストサービングノード(BSN) 165は、マルチキャストサービスおよびブロードキャストサービスをサポートするように構成されてよい。BSN165について以下に詳しく説明する。BSN165は、ブロードキャスト(BC)A10接続を介してRAN120(たとえば、BSC/PCF122)と通信し、インタネット175を介してアプリケーションサーバ170と通信する。BCA10接続は、マルチキャストメッセージおよび/またはブロードキャストメッセージを転送するのに使用される。したがって、アプリケーションサーバ170は、インタネット175を介してPDSN160にユニキャストメッセージを送信し、インタネット175を介してBSN165にマルチキャストメッセージを送信する。
【００２５】
一般に、以下に詳しく説明するように、RAN120は、BSN165からBCA10接続を介して受信されたマルチキャストメッセージを無線インタフェース104のブロードキャストチャネル(BCH)を介して1つまたは複数のアクセス端末200に送信する。
【００２６】
図3を参照すると分かるように、携帯電話などのアクセス端末200(ここでは無線デバイス)は、RAN120から送信され、最終的にキャリアネットワーク126、インタネット、および/または他のリモートサーバおよびネットワークから得られるソフトウェアアプリケーション、データ、および/またはコマンドを受信して実行することのできるプラットフォーム202を有する。プラットフォーム202は、特定用途向け集積回路(「ASIC」208)、あるいは他のプロセッサ、マイクロプロセッサ、論理回路、または他のデータ処理デバイスに動作可能に結合されたトランシーバ206を含んでよい。ASIC208または他のプロセッサは、無線デバイスのメモリ212内の任意の常駐プログラムとやり取りするアプリケーションプログラミングインタフェース(「API」)210を実行する。メモリ212は、読み取り専用メモリまたはランダムアクセスメモリ(RAMおよびROM)、EEPROM、フラッシュカード、あるいはコンピュータプラットフォームに共通する任意のメモリで構成してよい。プラットフォーム202は、メモリ212内でアクティブに使用されないアプリケーションを保持できるローカルデータベース214を含んでもよい。ローカルデータベース214は通常、フラッシュメモリセルであるが、磁気媒体、EEPROM、光学媒体、テープ、ソフトディスクまたはハードディスクのような当技術分野で公知の任意の二次記憶デバイスであってよい。内部プラットフォーム202構成要素は、当技術分野で公知のように、特にアンテナ222、ディスプレイ224、プッシュトゥトークボタン228、およびキーパッド226のような外部デバイスに動作可能に結合されてもよい。
【００２７】
したがって、本発明の実施形態は、本明細書で説明する機能を実行する能力を含むアクセス端末を含んでよい。当業者には理解されるように、様々な論理要素は、互いに離散した要素、プロセッサ上で実行されるソフトウェアモジュール、またはソフトウェアとハードウェアの任意の組み合わせで実施されて本明細書で開示される機能を実現することができる。たとえば、ASIC208、メモリ212、API210、およびローカルデータベース214をすべて協働させて、本明細書に開示される様々な機能をロードし、記憶し、実行することができ、したがって、これらの機能を実行する論理を様々な要素を介して分配することができる。あるいは、これらの機能を1つの離散構成要素に組み込んでもよい。したがって、図3のアクセス端末の特徴は単なる例示的なものとみなすべきであり、本発明は、図示の特徴にも構成にも限定されない。
【００２８】
アクセス端末102とRAN120との間の無線通信は、符号分割多元接続(CDMA)、WCDMA、時間分割多元接続(TDMA)、周波数分割多元接続(FDMA)、直交周波数分割多重(OFDM)、Global System for Mobile Communications (GSM（登録商標）)、または無線通信ネットワークもしくはデータ通信ネットワークで使用してよい他のプロトコルのような様々な技術に基づく通信であってよい。データ通信は通常、クライアントデバイス102とMPT/BS124とBSC/PCF122との間で行われる。BSC/PCF122をキャリアネットワーク126、PSTN、インタネット、仮想プライベートネットワークなどのような複数のデータネットワークに接続することができ、したがって、アクセス端末102がより広域の通信ネットワークにアクセスするのが可能になる。上記に論じかつ当技術分野で知られているように、様々なネットワークおよび構成を使用して音声伝送および/またはデータをRANからアクセス端末に送信してよい。したがって、本明細書に記載された例は、本発明の実施形態を限定するものではなく、本発明の実施形態の各態様の説明を助けるものに過ぎない。
【００２９】
図4Aは、通信セッションの現在のフロアホルダ用の逆方向リンク送信電力レベルを管理する従来の方法を示している。図4Aを参照すると分かるように、400では、現在のフロアホルダ(「AT1」)は、データを逆方向リンク上でRAN120に送信し、RAN120が該データをアプリケーションサーバ170に転送する。当業者には容易に理解されるように、400のAT1の1回または複数回のデータ送信は、AT1の現在の送信電力レベル設定値に対応する送信電力レベルで逆方向リンクチャネル上で行われる。送信電力レベル設定値は、以下に詳しく説明するように、RAN120で測定されるAT1の送信統計(場合によっては、それに加えて、たとえば、CDMAまたは干渉が制限される他のシステムのセクタにおける全体的な干渉のようなセクタ条件)に基づいて時間の経過とともに変化してよいAT1の目標送信電力レベルに相当する。送信電力レベル設定値は、AT1からのデータ送信に関する実際の送信電力レベルに相当してよく、あるいはデータ送信に関するAT1の実際の送信電力レベルに達するように特定の係数によって補正された値に相当してよい。たとえば、送信電力レベル設定値を使用して、非データパイロット信号用の第1の送信電力レベルおよびデータ送信用の第2の送信電力レベル設定値を求めることができる。
【００３０】
一例では、AT1は、プッシュトゥトーク(PTT)セッションの現在のフロアホルダ(たとえば、呼発信者)であってよい。アプリケーションサーバ170は、データをAT1から、呼(たとえば、PTTセッションなどのグループ呼)またはAT1との転送セッションに登録されている1つまたは複数のAT、すなわちAT2、、、ATNに転送する(405)。たとえば、Nは、グループ呼では2よりも大きく、ユニキャスト呼(たとえば、AT1とAT2の間のみの呼)では2に等しい。したがって、405では、アプリケーションサーバ170がデータをRAN120に転送し、RAN120がデータを1つまたは複数のセクタ内でAT2、、、ATNに送信する。AT2、、、ATNは、この通信セッションについてRAN120によって送信されるデータを監視する(410)。
【００３１】
通信セッションの間、RAN120におけるアウターループ電力制御アルゴリズムは、400で行われるAT1のデータ送信とAT1からのあらゆる他のパケット送信の送信統計を測定によって得る(415)。たとえば、RAN120は、特定の時間間隔(たとえば、1秒)にわたるAT1の伝送のパケット誤り率(PER)を測定するか、あるいは移動平均アルゴリズム、あるいは他の時系列アルゴリズムを適用してよい。他の例では、RAN120は、他の特定の時間間隔(たとえば、3秒以上)にわたってRAN120で受信されたAT1の伝送の信号対雑音比(SINR)を測定してもよい。測定によって電力損失のような他の送信統計を取ってもよい。インナーループ電力制御は高速に作用する。たとえば、RAN120におけるBSCは、ATが実現すべき目標SINRを設定する。BTSにおけるATのSINRが目標SINRよりも低い場合、RAN120はBSCにその送信電力を増大させるよう指示する。BTSにおけるATのSINRが目標SINRよりも高い場合、RAN120は、BSCにその送信電力を低減させるよう指示する。アウターループ電力制御は、より低速で、かつリンク条件に基づいて作用する。BSCは、特定のATの目標SINRを求める際、呼の持続時間にわたってATが受けるPERを測定する。PERがAT(またはRLPフロー)の目標PERよりも低い場合、BSCは目標SINRを低くする。PERがAT(またはRLPフロー)の目標PERよりも高い場合、BSCは目標SINRを高くする。接続の初期設定時には通常、RAN120がATのチャネル条件を追跡できていないため、ネットワークは控えめな(すなわち、平均よりも高い)SINRを仮定する。しかし、接続が確立された後、ATの目標SINRは、目標PERを確実に満たさせる値に収束する。
【００３２】
RAN120は、415でAT1について測定によって得られた送信統計に基づいて、AT1に送信電力レベルを上げるよう命令するかそれとも下げるよう命令するかを判定し、適切な送信電力レベル調整メッセージを送信する(420)。420でAT1の送信電力レベルを上げるよう命令するかそれとも下げるよう命令するかの判定は、いくつかの因子に基づいて行ってよい。たとえば、AT1の1つまたは複数の送信統計を使用してAT1の送信電力レベルを調整すべきかどうかを判定してよい。特定のATについては、測定によって得られる送信統計はフロー固有の統計であっても、AT固有の統計であってもよい。測定によって得られる送信統計がフロー固有の統計である場合、統計は測定によってIPフロー当たりに取られる統計であっても、測定によってRLPフロー当たりに取られる統計であっても、測定によってMACフロー当たりに取られる統計であってもよい。VolPフローのような遅延センシティブフローはより厳しいPER要件を必要とすることがあるため、アウターループ電力制御は、ATを電力制御する際に関連するフローの目標PERを考慮することによって設定値を設定することができる。当業者には理解されるように、測定によって得られる送信統計がフロー固有の統計である場合、一例では、420の対応する電力レベル調整メッセージは、その特定のフローのみの設定値を調整し、AT1による他のフローについては必ずしも調整しないように構成される。
【００３３】
一例では、ATの目標PERが5%であると仮定する。この例では、AT1のPERが5%よりもしきい値量の分だけ低いことを415の測定値が示している場合、RAN120は、AT1にその送信電力レベル設定値を小さくするよう命令すべきであると判定する。他の例では、AT1のPERが5%よりもしきい値量の分だけ高いことを415の測定値が示している場合、RAN120は、AT1にその送信電力レベル設定値を大きくするよう命令すべきであると判定する。様々な種類のアプリケーションをそれぞれの異なる目標PERに関連付けてよいことが理解されよう。たとえば、パケット損失によって呼品質が低下するため、電話呼は比較的低い目標PERを有してよい。他の例では、平均パケット転送速度が、セッション全体にわたって常に高品質の接続を維持することよりも高い優先順位を有するため、データ転送セッションは比較的高い目標PERを有してよい。目標PERは、420の判定において他のパラメータと一緒に使用されてよい。たとえば、AT1のセクタ内のすべてのATのPERが高レベルで測定される場合、問題は、AT1のセクタ内のすべてのATの送信が組み合わされるため、過度の干渉が生じることである。この場合、AT1のPERが目標PERよりも高いにもかかわらずAT1の送信電力レベル設定値を小さくするようAT1に命令してよい。いずれの場合も、420の判定は、AT1が測定によって送信統計を取ることのできる最近のデータ送信を行ったことに応じて行われる。
【００３４】
図4Aを再び参照すると分かるように、RAN120がAT1の送信電力レベル設定値を大きくすべきであると判定した場合、RAN120は、電力制御ビット(PCB)が、AT1にその送信電力レベル設定値を大きくするよう指示するように設定された1つまたは複数の電力レベル調整メッセージをAT1に送信し、プロセスは次に、415に戻り、RAN120が、引き続きAT1の送信統計を監視する。これに対して、RAN120は、AT1の送信電力レベル設定値を調整すべきであると判定した場合には、電力制御ビット(PCB)が、AT1にその送信電力レベル設定値を小さくするよう指示するように設定された1つまたは複数の電力レベル調整メッセージをAT1に送信し、プロセスは次に、415に戻り、RAN120が、引き続きAT1の送信統計を監視する。図4Aでは、415および420を比較的高速に繰り返してよい。たとえば、継続的に時間平均されたPERに基づいて1秒当たり約50個の電力レベル調整メッセージが送信されてよい。他の例では、RAN120がEV-DO REv. Aプロトコルに従って動作する場合、1秒当たり150個の電力レベル調整メッセージを送信してよく、RAN120がRel. 0に従って動作する場合、1秒当たり600個の電力レベル調整メッセージが送信されてよい。他の例では、PCBは、AT1にその送信電力レベルを一定の量だけ上げるよう指示するときに第1の論理レベル(たとえば、「1」)に設定され、かつAT1にその送信電力レベルを一定の量だけ下げるよう指示するときに第2の論理レベル(たとえば、「0」)に設定される単一ビット指標であってよい。AT1は、電力レベル調整メッセージを受信すると、その送信電力レベル設定値をPCBの論理レベルに基づいて特定の量だけあるいは段階的に更新する(たとえば、小さくするかあるいは大きくする)。
【００３５】
当業者によって理解されるように、図4Aは、逆方向リンクアウターループ電力制御(ROLPC)の一例を示している。逆方向リンク送信電力は、RAN120による測定によって得られる送信統計に少なくとも部分的に基づいて制御される。しかし、ATがアクティブにデータを送信していないときにATの送信電力レベル設定値を適切なレベルに維持することは、最近の送信統計が得られないためより困難である。たとえば、図4Aの通信セッションが、AT1が現在のフロアホルダであり、かつAT2、、、ATNが目標ATであるユニキャストグループセッション(たとえば、IPマルチキャスト化ではなくIPユニキャスト化によってサポートされるグループ呼)である場合、目標ATはこのセッションを監視するが、必ずしもデータを送信しない(たとえば、少なくともこのグループセッションについては送信しない。ただし、AT2、、、ATNの1つまたは複数は他のアプリケーションに関係するデータを送信してよい)。したがって、AT2、、、ATNがトラフィックチャネル(TCH)上での特定の期間(この場合、TCH上の「データイナクティビティ期間」または「逆方向リンクデータ送信イナクティビティ期間」と呼ばれる)にわたるデータの送信を行わない場合、RAN120はAT2、、、ATNについて測定によって送信統計を取ることができない(すなわち、AT2、、、ATNからのデータ送信が存在しないため)。AT2、、、ATNの1つまたは複数がデータイナクティビティ期間中に異なる位置に移動するか、あるいは何らかの理由でAT2、、、ATNのチャネル条件が変化した場合、データイナクティビティ期間の前の該1つまたは複数のATの送信電力レベル設定値が、該1つまたは複数のATがデータの送信を開始することを望む次の時点において大き過ぎるかあるいは小さ過ぎることがある。ATの実際の送信電力レベル設定値とデータイナクティビティ期間中に発生するATの理想的な送信電力レベル設定値との差は、送信電力レベル設定値ドリフトと呼ばれることがある。シミュレーション結果に基づいて、設定値ドリフト問題を解消するとEc,p/Ntを低くすることができ、それによって、信号干渉量が著しく減少し、ネットワーク容量が増大することが分かっている。
【００３６】
トラフィックチャネル(TCH)を有するATは、逆方向リンクデータイナクティビティ期間中に逆方向リンクパイロットチャネル上で、データ伝送ではないパイロット信号を引き続き送信する。特定の間隔で、各ATは、データが送信される送信電力レベルから特定の係数だけ補正された送信電力レベルを有するパイロット信号を送信する。一般に、パイロット信号用の送信電力レベルは、データ用の送信電力レベルよりも低い。しかし、パイロット信号は、RAN120がデータ送信イナクティビティ期間中にATの送信電力レベル設定値を調整するのに使用できる送信統計を測定によって得るのに十分な信号ではない。したがって、パイロット信号だけでは送信電力レベル設定値ドリフト問題を解消するのに不十分である。また、データ送信イナクティビティ期間中に送信電力レベル設定値が大きくなった場合、1つまたは複数のATから過度に強いパイロット信号が送信され、それによって、1つまたは複数のATで不必要に電力が消費され、信号干渉が増大する可能性がある。
【００３７】
図4Bは、データイナクティビティ期間の間、通信セッションに参加する1つまたは複数のアクセス端末の逆方向リンク送信電力レベル設定値を管理する従来の方法を示している。図4Bは、図4Aの続きを示している。
【００３８】
図4Bを参照すると分かるように、図4Aの425の後で、通信セッションが継続し、かつRAN120がこの通信セッションについてAT2、、、ATNにデータを送信する(このデータは、たとえば、現在のフロアホルダからアプリケーションサーバ170に転送され、さらにアプリケーションサーバ170からAT2、、、ATNに転送される)(430B)と仮定する。説明の都合上、図4Bのプロセス全体にわたってAT1がフロアホルダのままであると仮定する。AT2、、、ATNは、この通信セッションについてRAN120によって送信されるデータを引き続き監視する(435B)。
【００３９】
440Bでは、RAN120は、1つまたは複数のAT2、、、ATNの逆方向リンクイナクティビティ期間(「データイナクティビティ期間」または「逆方向リンクデータ送信イナクティビティ期間」)がしきい値を超えているかどうかを判定する。たとえば、AT2がRAN120との他の通信セッションには関わっておらず、すなわち、通信セッションを監視しつつ(たとえば、AT2は依然として周期的なパイロット信号を送信するが)すべてのデータ伝送を終了した場合、ATのデータイナクティビティ期間は、特定の時間の経過後にしきい値を超えることがある。AT2、、、ATNのデータイナクティビティ期間はしきい値を超えていないとRAN120が判定した場合、プロセスは430Bに戻り、RAN120は引き続き、この通信セッションについてAT2、、、ATNにデータを送信する。これに対して、AT2、、、ATNの少なくとも１つのデータイナクティビティ期間がしきい値を超えているとRAN120が判定した場合、RAN120は、イナクティブ状態のATにその逆方向リンク調整メッセージを大きくするよう指示するようにPCBが設定された1つまたは複数の電力レベル調整メッセージをAT2、、、ATNのうちのイナクティブ状態の各ATに送信する(445B)。RAN120がAT2、、、ATNのいずれかに電力レベル調整メッセージを送信するたびに、AT2、、、ATNのうちで電力レベル調整メッセージを受信したATは、それに応じて該ATの送信電力レベル設定値を調整する(450B)。図4Aの420で送信される電力レベル調整メッセージとは異なり、445BでRAN120によって送信された電力レベル調整メッセージが、測定によって送信統計が取られることではなくAT2、、、ATNによる逆方向リンクデータイナクティビティ期間に応答して送信されることが理解されよう。したがって、445Bの電力レベル調整メッセージによって必ずしもAT2、、、ATNにおける送信電力レベル設定値が適切なレベルに収束するわけではない。
【００４０】
図4Bには明示的に示されていないが、AT2、、、ATNの1つまたは複数のATのデータイナクティビティ期間が十分に長い場合にステップ440Bおよび445Bを数回繰り返してよく、RAN120におけるタイマが、次にAT2、、、ATNの1つまたは複数からの逆方向リンクデータ送信アクティビティなしで再びしきい値を超えるようなときまで、データイナクティビティ期間がしきい値を超えるたびにリセットされる。したがって、AT2が通信セッションを監視しつつ非常に長い期間にわたってイナクティブ状態である場合、AT2の送信電力レベル設定値を最大限にする(たとえば、それ以上大きくすることが不可能なレベルまで大きくする)ことができ、それによって、AT2は、次にRAN120に逆方向リンクデータメッセージを送信することを望むときに最高の送信電力レベルを送信する。
【００４１】
したがって、AT2、、、ATNがそれぞれ、(たとえば、AT1が長期間にわたってフロアホルダのままでいるために)長期間にわたって休止しているかあるいはイナクティブ状態であり、RAN120が、測定によってAT2、、、ATNについての送信統計を取ることができず、RAN120が、少なくともAT2、、、ATNの各々がそれぞれの逆方向リンク送信電力レベル設定値(たとえば、データ伝送とパイロット信号の両方について送信電力レベルを設定するために使用される)を最大限にするまでAT2、、、ATNの各々にいくつかの電力レベル調整メッセージを送信したと仮定する。図4B内には明示的に示されていないが、このことは、AT1が、その逆方向リンクパイロット信号を比較的高い送信電力レベルで送信しており、それによって、AT1において電力が消費され、かつAT1のセクタ内の干渉が増大することを意味する。次に、AT2、、、ATNの各々が、455Bでデータの送信を開始すべきかどうかを判定すると仮定する。AT2、、、ATNが455Bでデータを送信すべきではないと判定した場合、プロセスは435Bに戻り、AT2、、、ATNは引き続き通信セッションを監視する。これに対して、AT2、、、ATNの1つまたは複数が455Bでデータを送信すべきであると判定した場合(たとえば、AT2、、、ATNのうちの多くがほとんど同時にフロアを要求する通信セッションに対するフロア要求)、送信すべきであると判定したAT2、、、ATNの各々は、その現在の送信電力レベル設定値に対応する送信電力レベルでメッセージを送信する(460B)。上記に指摘したように、この例では、AT2、、、ATNの各々が、データイナクティビティ期間が長いためにその送信電力レベル設定値(たとえば、パイロット信号用の送信電力レベル設定値であり、データ送信に関する送信電力レベルを求めるのにも使用される)を最大限にしたと仮定している。したがって、455Bで送信すべきであると判定したAT2、、、ATNの各々は、460BでそれぞれのATからデータ用の比較的高い(たとえば、最高の)送信電力レベルでデータメッセージを送信する。
【００４２】
理解されるように、460Bのデータメッセージ送信は、送信を行ったATのデータイナクティビティ期間を終了させる。したがって、465Bで、RAN120は、460Bで送信を行った各ATについて測定によって送信統計(たとえば、PER、SINR)を取り、送信を行ったATに電力レベル調整メッセージを送信する(470B)。RAN120が、送信を行ったATのうちの少なくとも1つの送信電力レベル設定値を調整すべきであると判定した後、プロセスが430Bに戻る前に、470Bで、1つまたは複数の電力レベル調整メッセージが選択されたATに送信される。次に、該1つまたは複数のATは、その送信電力レベル設定値を受信された電力レベル調整メッセージに基づいて調整する(475B)。
【００４３】
当業者によって理解されるように、多数のATが、非常に高い送信電力レベルで特定のセクタ内で同時に送信を行った場合、この特定のセクタ内の干渉が大幅に増大する可能性がある。したがって、たとえば、図4Bにおける通信セッションがグループセッションであり、AT1がフロアを解放したと仮定する。AT2、、、ATNの各々がフロア解放メッセージを受信し、場合によっては、AT2、、、ATNの各々が、同時に送信を行うべきであると判定し、フロアを要求する可能性がある。したがって、この場合には、多数のATが、非常に高い送信電力レベルで(たとえば、データイナクティビティ期間が比較的長く、したがって、ATの送信電力レベル設定値を1回または複数回大きくする必要が生じた場合)かつ実質的に同時に送信を行う。これらのATの多くが同じセクタ内に配置されている場合、そのセクタ内のシステム性能が著しく低下する恐れがある。また、少数のATが必要以上の送信電力レベルで送信を行った場合でも、1つまたは複数のセクタ内のシステム性能が低下する可能性があることが理解されよう。また、データ送信イナクティビティ期間中に時間が経過して、各ATがその送信電力レベル設定値を最大限にするよう指示された場合、ATはそのそれぞれのパイロット信号を逆方向リンク上で非常に高いレベルで送信する可能性があり、それによって、各ATにおいて大量の電力が消費されるとともに1つまたは複数のセクタ内の干渉が増大する恐れがある。
【００４４】
上述のように送信電力レベルが高くなる問題を軽減するために、以下に図4Cに関して説明する他の従来の逆方向リンク電力制御プロセスを実施することができる。図4Cに関して説明するように、RAN120は、AT2、、、ATNのそれぞれのデータイナクティビティ期間の長さにかかわらず、AT2、、、ATNに電力レベル調整メッセージを送信しない。
【００４５】
図4Cを参照すると分かるように、図4Aの425の後で、通信セッションが継続し、かつRAN120が引き続きこの通信セッションについてAT2、、、ATNにデータを送信する(このデータは、たとえば、現在のフロアホルダからアプリケーションサーバ170に転送され、さらにアプリケーションサーバ170からAT2、、、ATNに転送される)(430C)と仮定する。説明の都合上、図4Cのプロセス全体にわたってAT1がフロアホルダのままであると仮定する。AT2、、、ATNは、この通信セッションについてRAN120によって送信されるデータを引き続き監視する(435C)。
【００４６】
440Cでは、図4Bとは異なり、RAN120がAT2、、、ATNのそれぞれのデータイナクティビティ期間中にAT2、、、ATNに電力レベル調整メッセージを送信することはない。次に、AT2、、、ATNがそれぞれ、(たとえば、AT1が長期間にわたってフロアホルダのままでいるために)長期間にわたって休止しているかあるいはイナクティブ状態であり、したがって、RAN120が、測定によってAT2、、、ATNについての送信統計を取ることができず、AT2、、、ATNの各々への電力レベル調整メッセージの送信も行っていないと仮定する。次に、AT2、、、ATNの各々が、445Cでデータの送信を開始すべきかどうかを判定すると仮定する。AT2、、、ATNが445Cでデータを送信すべきではないと判定した場合、プロセスは435Cに戻り、AT2、、、ATNは引き続き通信セッションを監視する。これに対して、AT2、、、ATNの1つまたは複数が455Cでデータを送信すべきであると判定した場合、送信すべきであると判定したAT2、、、ATNの各々は、図4Bではデータイナクティビティ期間よりも前に設定される、ATの現在の送信電力レベル設定値に対応する送信電力レベルでメッセージを送信する(450C)。
【００４７】
450Cのメッセージ送信は、送信を行ったATのデータイナクティビティ期間を終了させる。したがって、455Cで、RAN120は、450Cで送信を行った各ATについて測定によって送信統計(たとえば、PER、SINR)を取り、送信を行ったATのうちの少なくとも1つの送信電力レベル設定値を大きくあるいは小さくすべきであると判定し、プロセスが430Cに戻る前に、460Cで、1つまたは複数の電力レベル調整メッセージを各ATに送信する。次に、該1つまたは複数のATは、その送信電力レベル設定値を受信された電力レベル調整メッセージに基づいて調整する(465C)。
【００４８】
AT2、、、ATNのチャネル条件が実質的にそのそれぞれのデータイナクティビティ期間中に変化する場合があることが理解されよう。たとえば、AT2、、、ATNの1つまたは複数が、対応する基地局に接近し、それによって、(たとえば目標PERを維持するために)AT2、、、ATNの理想的または適切な送信電力レベル設定値が小さくなることがあり、一方、AT2、、、ATNの他の1つまたは複数が、対応する基地局から遠くに離れるかあるいは高干渉領域に入り、それによって、AT2、、、ATNの理想的または適切な送信電力レベル設定値が大きくなることがある。これらの変化にもかかわらず、AT2、、、ATNは、450Cで「より古い」(すなわち、データイナクティビティ期間のために電流がより小さい)送信電力レベルで送信を行う。したがって、450Cでデータを送信する際の送信電力レベルが高過ぎ、そのため干渉が増大し、補正が必要になるATがあり、一方、450Cでデータを送信する際の送信電力レベルが低過ぎ、そのためそれらのATの送信成功率が低くなるATもある。したがって、図4Cにおけるデータイナクティビティ期間中に不必要に高いパイロット信号を送信する問題が図4Bに対して軽減される(すなわち、単に、図4Cにおける長いデータイナクティビティ期間中には送信電力レベル設定値が最大限にならないために軽減される)が、データイナクティビティ期間の後の最終的なデータ送信(450C)は適切な送信電力レベルでは行われるとは限らない。
【００４９】
したがって、図4Bのプロセス(すなわち、イナクティブ状態のATの送信電力レベル設定値を徐々に大きくすること)でも図4Cのプロセス(すなわち、次の送信が終了するまでイナクティブ状態のATの送信電力レベル設定値を調整しないこと)でも、データイナクティビティ期間後の最初の送信において適切なレベルを近似させることはできないことが理解されよう。特に、図4Bでは、1つまたはイナクティブ状態の複数のATの送信電力レベル設定値が高過ぎる可能性があり、図4Cでは、イナクティブ状態の1つまたは複数のATの送信電力レベル設定値が高過ぎるかあるいは低過ぎる可能性がある。次に詳しく説明する本発明の実施形態は、少なくともデータイナクティビティ期間に続く初期送信の前に、イナクティブ状態の1つまたは複数のATの送信電力レベル設定値を管理することに関する。
【００５０】
図5Aは、本発明の実施形態によって、データ送信イナクティビティ期間の間通信セッションに参加する1つまたは複数のアクセス端末の逆方向リンク送信電力レベル設定値を管理するプロセスを示している。図5Aを参照すると分かるように、図4Aのプロセスがすでに実行されており、したがって、AT1を通信セッションの現在のフロアホルダとしてAT1とAT2、、、ATNとの間に通信セッション(たとえば、グループセッションまたはマルチキャストセッション、呼、転送セッションなど)が確立されると仮定する。都合上、さらに、AT1は図5Aのプロセス全体にわたってフロアホルダのままであると仮定する。
【００５１】
図5Aを参照すると分かるように、500で、AT2、、、ATNの各々は、RAN120が測定によってそれぞれのATについての送信統計(たとえば、特定の期間にわたるPER、特定の期間にわたるSINRなど)を取るのに十分であると考えられる最新のデータまたはメッセージ送信の後の特定の満了期間を有するタイマをリセットまたは始動する。一例では、特定の満了期間は、RAN120が、比較的正確で新しいAT送信統計(たとえば、EV-DOシステムの場合は400msおき)を維持しつつどれだけ遠くの特定のATから送信を受信できるかに基づいて求めてよい。したがって、特定の満了期間は、最新のAT送信統計(たとえば、PER、SINRなど)を維持することとデータ送信を行わないことによって特定のATのセクタ内の干渉を低減させることとの兼ね合わせに基づいて求めてよい。一例では、AT2、、、ATNのうちの前のフロアホルダが通信セッションのフロアを解放したときに前のフロアホルダにおける500のタイマを始動またはリセットしてよく、その後フロアがAT1に与えられる。他の例では、通信セッションがAT1によって開始された場合、AT2、、、ATNの各々が通信セッションに参加する前の、AT2、、、ATNの各々における直前の逆方向リンクデータ送信の後で、500のタイマが始動またはリセットされてよい。本明細書では、「データ」送信と呼ばれる送信のみがタイマをリセットする働きをし、この場合、データ送信は、RAN120が、送信を行うATにおける送信電力レベル設定値を大きくするかそれとも小さくするかを選択する際に使用できる送信統計を測定によって得るための送信として定義される。したがって、パイロット信号は、大部分のシステムと同様に、該パイロット信号がATにおける送信電力レベル設定値を調整するのに使用されないかぎり、データ送信とみなされない。したがって、タイマの開始点は、RAN120による測定によって送信統計を得ることのできるATからの最新のデータ送信を示す。
【００５２】
図5Aを再び参照すると分かるように、RAN120は、引き続きこの通信セッションについてAT2、、、ATNにデータを送信し(このデータは、たとえば、現在のフロアホルダAT1からアプリケーションサーバ170に転送され、さらにアプリケーションサーバ170からAT2、、、ATNに転送される)(505)、AT2、、、ATNは、引き続き(たとえば、通信セッションがIPマルチキャスト化プロトコルによってサポートされているグループセッションである場合には通信セッション用の媒体が保持されるダウンリンクBCHに同調し、あるいは通信セッションがIPユニキャスト化プロトコルによってサポートされているグループセッションである場合にはダウンリンクTCHに同調することによって)この通信セッションを監視する(510)。次に、AT2、、、ATNの各々は、そのタイマが満了したかどうかを判定する(515)。図5には明示的に示されていないが。AT2、、、ATNの1つまたは複数が、RAN120が測定によって該ATについての送信統計を取るのに十分であると考えられるデータメッセージを送信するたびに、送信を行ったATについてタイマがリセットされる。したがって、タイマにおいて特定の満了期間(たとえば、RAN120とAT1との間で事前に交渉することができる)が過ぎたときに起こるタイマの満了は、特定のATが少なくとも該特定の満了期間に等しい時間の間データ送信に関してイナクティブ状態であることを意味する。515の判定が、タイマが満了していないことを示す場合、プロセスは510に戻り、該特定のATは引き続き通信セッションを監視する。これに対して、515の判定が、タイマが満了したことを示す場合、AT2、、、ATNは(都合上、本節は、AT2、、、ATNの各々においてタイマが満了するものとして記載されているが、必ずしもそうではない)、RAN120が測定によって送信統計(たとえば、PER、SINRなど)を取るのに十分な低負荷メッセージを生成し(520)、低負荷メッセージをRAN120に送信する(525)。たとえば、低負荷メッセージは、より低い層のメッセージ、すなわち、RAN120がこのメッセージを無視し(たとえば、このメッセージを他のエンティティに転送しない)、必要に応じてAT2、、、ATNの送信電力レベルを更新できるように、単に、計算または測定によってPERのようなAT2、、、ATNについての送信統計を取るのにこのメッセージを使用するという点で「ダミー」メッセージに相当してよい。他の例では、低負荷メッセージは、特定のエンドポイント(たとえば、アプリケーションサーバ170、PDSN160など)に中継される比較的小さなアプリケーション層メッセージ(たとえば、IPデータパケット)に相当してよい。本明細書では、「低負荷」データメッセージは、ATのセクタ内で顕著な干渉を生じさせずに測定によってATの送信統計を取ることができるように比較的長さが短い任意のメッセージに相当する。また、低負荷メッセージは、RAN120における処理負荷量を少なくする(たとえば、RAN120用のフラグに基づいて、送信統計の計算などを除いて低負荷メッセージを無視する)ように構成されてよい。
【００５３】
当業者には理解されるように、RAN120でATの送信統計が更新されるようにそれぞれの異なる目的および宛先を有する様々な種類のデータメッセージがATによって送信されてよいが、520で生成され525で送信される低負荷メッセージは、タイマが満了することに応答してのみ生成され、タイマが確実に満了すると送信電力レベル設定値ドリフト(たとえば、アクセス端末においてデータ送信イナクティビティの間特定の成功率を維持するために実際の送信電力レベル設定値を理想的または適切な送信電力レベル設定値から「逸脱させること」)が低減する。したがって、520および525でメッセージを生成し送信することは、(たとえば、AT2、、、ATNがキープアライブパケットを送信せずに引き続き通信セッションを監視できるため)たとえば接続が切断されないようにするパケットが生成される「キープアライブ」パケットとは区別される。このことは、生成されるメッセージがキープアライブパケットには相当しないことを意味せず、むしろ、520でメッセージを生成するためのトリガ基準が、接続が失われる恐れのある送信イナクティブ状態ではなく、送信電力レベル設定値ドリフトを生じさせることがある送信イナクティブ状態であることを意味する。同様に、低負荷データメッセージは、上記に指摘したようにパイロット信号とは区別される。なせなら、パイロット信号は測定によってATについての送信統計を取るのに使用されないからである。
【００５４】
AT2、、、ATNは、525で低負荷データメッセージを送信した後、タイマをリセットし(530)、510に戻り引き続き通信セッションを監視する。一方、RAN120は、AT2、、、ATNから低負荷データメッセージを受信し、測定によってAT2、、、ATNについての送信統計を取る(535)。RAN120は、535で測定によって得られた送信統計に基づいて、AT2、、、ATNの送信電力レベル設定値を大きくすべきかそれとも小さくすべきかを判定し、AT2、、、ATNに電力レベル調整メッセージを送信する。RAN120は、電力レベル調整メッセージを送信した後、505に戻り、引き続き、通信セッションに関連するデータをAT2、、、ATNに送信する。AT2、、、ATNのうちの1つまたは複数のATは、電力レベル調整メッセージに応答して、その送信電力レベル設定値をRAN120から受信される電力レベル調整メッセージに基づいて更新する(545)。
【００５５】
図5Bは、図5Aのプロセスの続きを示している。図5Bを参照すると分かるように、AT2、、、ATNは、(たとえば、送信電力レベル設定値を比較的新しい値に維持する低負荷データメッセージを別にすればイナクティブ状態である)データイナクティビティ期間を終了すべきかどうかを判定し、RAN120にデータを送信する(550)。たとえば、通信セッションに関するフロア解放メッセージがAT2、、、ATNで受信された場合、AT2、、、ATNの1つまたは複数は、次のフロアホルダになることを望み、それによって、アプリケーションサーバ170に転送されるフロア要求をRAN120に送信すべきであると550で判定することができる。都合上、AT2、、、ATNの少なくとも1つは、550で、RAN120にデータを送信すべきであると判定すると仮定する。したがって、555で、データを送信すべきであると判定したATは、1つまたは複数のメッセージを生成し、ATのデータイナクティビティ期間の間比較的正確に維持された送信電力レベル設定値に対応する送信電力レベルで該1つまたは複数のメッセージをRAN120に送信する。
【００５６】
RAN120は、AT2、、、ATNの少なくとも1つから1つまたは複数のメッセージを受信し、送信を行ったATについて測定によって送信統計を取り(560)、電力レベル調整メッセージを送信して、送信を行ったATの送信電力レベル設定値を調整する  (565)。AT2、、、ATNの送信電力レベル設定値は(たとえば、図4Cと同様に逸脱させたり、図4Bと同様にチャネル条件にかかわらず大きくしたりするのではなく)データイナクティビティ期間の間最新の状態に維持されているので、555で得られる送信電力レベルが理想的な送信電力レベルにかなり近く、560で測定によって得られる送信統計から求められる送信統計目標(たとえば、PER目標)に一致する可能性が高く、そのため、AT2、、、ATNがデータを適切な送信電力レベルで送信できるようにするのに必要な電力レベル調整メッセージの数が比較的少なくなる(たとえば、場合によっては零になる)ことが理解されよう。したがって、AT2、、、ATNからの最初のデータ送信は、比較的長いデータイナクティビティ期間の後でも適切な送信電力レベルで行われる可能性が高い。しかし、図5Bには示されていないが、AT2、、、ATNのうちの1つまたは複数のATの送信環境が急に変更されると、データイナクティビティ期間の間低負荷データメッセージが存在するにもかかわらず565で追加的な電力レベル調整メッセージが必要になることがあることが理解されよう。
【００５７】
したがって、図5A〜5Bは、ATの送信電力レベル設定値をデータイナクティビティ期間全体にわたって最新レベルに維持できるようにするプロセスを示している。図5A〜5Bに示されている実施形態は、データイナクティビティ期間全体にわたって検査される特定のしきい値期間内に他のデータメッセージが送信されない場合に送信すべき周期的な低負荷データメッセージに依存する。これによって、データイナクティビティ期間が終了したときにいつデータを送信できるかに関して個々のATに融通性を持たせることができる。なぜなら、各ATはデータイナクティビティ期間全体にわたって適切な送信電力レベル設定値を維持するからである。
【００５８】
他の実施形態では、各ATは、いつデータを送信すべきかについての事前の知識、またはまもなくデータを送信することが必要になる確率が比較的高いことを示す条件に依存してよく、それによって、各ATは、データイナクティビティ期間全体にわたって周期的な低負荷データメッセージを送信する必要がなく、さらに、予想されるデータ送信の前のデータイナクティビティ期間中に1つまたは複数のデータメッセージを送信することができる。したがって、本実施形態は、データイナクティビティ期間全体にわたってATの送信電力レベル設定値を維持する(この場合、たとえば、データイナクティビティ期間が長い場合に多数の低負荷データメッセージを送信することが必要になる可能性があり、それによって、何度も送信電力レベルを調整しなければならなくなることがある)代わりに、次に図6A〜6Dに関して説明するように、予想されるデータ送信の前に送信電力レベル設定値をより迅速に調節することによってデータイナクティビティ期間中のデータメッセージ送信を低減させる。特に、図6Aは、上述のプロセスの高レベルフローチャートを示し、一方、図6B、6C、および6Dは、図4Aで確立される通信セッションについて実行される上述のプロセスの例を示している。
【００５９】
図6Aを参照すると分かるように、AT1は、逆方向リンク上でRAN120にデータを送信する。図6Aには示されていないが、RAN120が、600で送信されるデータメッセージを測定し、AT1に逆方向リンク送信の送信電力レベル設定値を修正するよう命令する1つまたは複数の電力レベル調整メッセージを送信すると仮定する。605で、AT1は、特定の期間の間データの送信を停止すべきであると判定する(ただし、たとえば、AT1は引き続き周期的なパイロット信号を送信する)。たとえば、605の判定は、AT1のユーザがグループセッションのフロアを解放することに決定すること、通信セッションを終了すること、電話会議上の「消音」ボタンを押すことなどに相当する判定であってよい。
【００６０】
従来、AT1は、AT1自体が特定の期間の間データを送信しないことが予想されることをRAN120に通知せず、単にデータの送信を停止する。しかし、本発明の実施形態では、AT1は、次に通知するまでデータの送信を行わないことをRAN120に知らせるデータ停止メッセージを送信する(610)。一例では、610のデータ停止メッセージは、逆方向リンク上の独自のメッセージ(たとえば、AT1がデータ送信を終了することが予想されることをRAN120に知らせるように構成されたStorageBlobNotificationメッセージまたはStorageBlobCompleteメッセージなど)に相当してよい。他の例では、データ停止メッセージが、無線インタネットを介してAT1とRAN120との間で送信されるときに失われた可能性があるか、あるいは場合によっては、データ停止メッセージが実際には一切送信されなかったことが考えられる。いずれの場合も、RAN120は、AT1におけるデータイナクティビティ期間がしきい値期間よりも長いことに基づいてデータ停止メッセージを推定するように構成されてよい。したがって、この例のしきい値期間は、以下に615および620に関して説明するように、送信電力レベル設定値を小さくする電力レベル調整メッセージが送信される前の、以前のデータ送信の後の最長期間になる。
【００６１】
RAN120は、データ停止メッセージを受信し、データ停止メッセージに応答して、AT1にその送信電力レベル設定値を小さくするよう指示する1つまたは複数の電力レベル調整メッセージをAT1に送信する(615)。たとえば、RAN120は、AT1が、データイナクティビティ期間中に各AT用に設定されるTCHを介したAT1によるパイロット信号の送信に関する送信電力レベルに達することが予想されるまで電力レベル調整メッセージを送信し続けることができる。あるいは、RAN120は、一定数の電力レベル調整メッセージを送信してAT1の送信電力レベル設定値を一定量だけ小さくさせる。AT1は、該1つまたは複数の電力レベル調整メッセージを受信し、それに応じてAT1の送信電力レベル設定値を小さくする(620)。したがって、TCHを介したAT1によるパイロット信号の送信は、データイナクティビティ期間の間比較的低い電力レベルに維持することができ、それによって、AT1における電力消費量が少なくなるとともにシステム干渉が低減する。
【００６２】
625で、AT1は、しきい値期間(たとえば、200ms、2sなど)内にデータを送信する確率が比較的高いかあるいは送信がある程度の確率で行われることを示す条件が検出されるかどうかを判定する。たとえば、625の検出は、監視される通信セッションのダウンリンクデータイナクティブ状態に応答して行われてよく、AT1は、このことから、該イナクティビティ期間現在のフロアホルダがまもなくフロアを放棄する可能性が高いと推定することができる。あるいは、625の検出は、監視される通信セッションに関連して受信される実際のフロア解放メッセージに応答して行われてもよい。他の例では、625の検出は、AT1のユーザからのユーザ入力に基づいて行われてよい(たとえば、AT1のユーザが、AT1上のボタンを押すことを開始して電話番号を入力し、AT1が、入力が完了したときにユーザが次に電話番号をダイヤルすることを推定することができる)。他の例では、625の判定は、ユーザの過去の行動に基づいて行われてよい。たとえば、AT1が、AT1の動きを検出する加速度計を有する携帯電話に相当する場合、AT1のユーザが自分のポケットからAT1を取り出し、AT1を自分の口の近くに配置するたびに、AT1を使用して音声ダイヤル動作が開始されると仮定する。この場合、加速度計は、AT1による予想されるデータ送信を準備するトリガとして使用されてよい。ユーザの1組の既知の行動と、これらの行動によって特定のしきい値期間内にデータ送信が行われる確率とを記憶したテーブルによって、ユーザの過去の行動をAT1上に記憶することができる。たとえば、AT1のユーザがテキストメッセージアプリケーション、インスタントメッセージアプリケーション、またはeメールアプリケーションをロードし、メッセージにデータを追加する一連のキーストロークを入力した場合、AT1は、ユーザが近い将来にメッセージの送信を要求すると推定することができる。他の例では、セッション/トランスポート層が、データ送信が行われる可能性があるかあるいはその可能性が高い(たとえば、HTTP/TCPが何秒にも及ぶ間欠的な活動を示す場合)ことを予想できるようにする論理/トランザクションを有してもよい。言い換えれば、データ送信のパターン(たとえば、1分当たり1回のデータ送信)を使用して将来のデータ送信活動を推
定してよい。
【００６３】
625の判定が、AT1がデータを送信することを望んでいることを示すか、あるいはAT1がまもなくデータを送信することを望むようになる可能性が高いことを予想する判定である場合、AT1はデータ開始メッセージを送信する(630)。一例では、630のデータ開始メッセージは、逆方向リンク上の独自のメッセージ(たとえば、AT1がデータ送信を更新することが予想されることをRAN120に知らせるように構成されたStorageBlobNotificationメッセージまたはCompleteメッセージなど)に相当してよい。他の例では、630のデータ開始メッセージは、RAN120が測定によって送信統計を取って、AT1の送信電力レベル設定値を調整すべきかどうかを確認することを可能にする任意のメッセージ(たとえば、図5Aの520および525における低負荷データメッセージなど)に相当してよい。他の例では、ある状況で、AT1から実際にデータが送信される前に630のデータ開始メッセージを送信することができ、それによって、データイナクティビティ期間の後の最初のデータ送信用のAT1の送信電力レベル設定値を調整するのに十分な時間が得られることが理解されよう。
【００６４】
RAN120は、635でデータ開始メッセージに関連する送信統計を測定によって得て、AT1の送信電力レベル設定値を大きくする1つまたは複数の電力レベル調整メッセージを送信する(640)。他の例では、RAN120は、該電力レベル調整メッセージを送信することによってデータ開始メッセージに自動的に応答してよい。なぜなら、RAN120は、AT1の送信電力レベル設定値が、前のデータ停止メッセージによって開始されたデータイナクティビティ期間の間人為的に低いレベルに維持されていた可能性が高いことを認識しているからである。AT1は、該電力レベル調整メッセージを受信し、それに応じてAT1の送信電力レベル設定値を調整する(645)。650で、AT1は、実際に逆方向リンク上でRAN120にデータを送信すべきかどうかを判定する。AT1が650でRAN120にデータを送信すべきであると判定した場合、AT1は、645で設定された送信電力レベル設定値でデータを送信する。図6Aには示されていないが、AT1が650でデータを送信すべきではないと判定した場合(たとえば、フロア解放メッセージがAT1で受信されたが、AT1のユーザがフロアを要求しないことに決定したため)、プロセスは610に戻ってよく、かつRAN120に他のデータ停止メッセージを送信してよく、それによって、やはりAT1の送信電力レベル設定値が小さくなる。
【００６５】
他の例では、データ開始メッセージは、AT1からの予想されるデータ転送の程度をフラグによって示すように構成されてよい。たとえば、AT1が比較的多くのデータを送信する予定である場合、この大量のデータをデータ開始メッセージを介してRAN120に転送してよい。この場合、RAN120は、各電力レベル調整メッセージのステップサイズまたは設定値を大きくするか、あるいは設定値を大きくすることを示す電力レベル調整メッセージの送信数を増やすことによって、AT1の送信電力レベル設定値をより積極的に大きくすることができる。
【００６６】
他の例では、AT1が、十分な通知なしにある高優先順位メッセージを送信する予定であり、そのため、データ開始メッセージが、上述のようにAT1の送信電力レベル設定値を大きくするのに十分な時間が有さない場合、またはデータ開始メッセージがAT1によって送信されたが、何らかの理由で該データ開始メッセージが(たとえば、無線インタフェースを介してAT1とRAN120との間で)失われた場合、AT1は、データ送信の成功率を高めるために自律的に該高優先順位メッセージをより高い送信電力レベル(すなわち、AT1の現在の送信電力レベル設定値よりも高いレベル)で送信してよい。たとえば、AT1のユーザがAT1上のPTTボタンを押し、AT1が、逆方向リンクデータ送信イナクティビティの結果として人為的に低い送信電力レベル設定値を有する場合、AT1からRAN120に送信されるPTT要求をより高い送信電力レベルで送信することができる。他の例では、AT1は、データ開始メッセージを送信したときにより低い層からSLP ACKまたはRLP ACK/NAKを受信しないことに基づいてデータパケットが失われたと推定してよい。この場合、AT1は、推定されるパケット損失の結果としてAT1の送信電力レベルを高くしてよい。
【００６７】
前述の図6Aについては、あらゆる種類のデータイナクティビティ期間に適用できる高いレベルで説明している。後述の図6B〜6Dは、図4Aで確立された通信セッション(たとえば、各呼参加者がTCHを有するPTTセッションのような、IPユニキャスト化によってサポートされるグループセッション)に関して適用される図6Aの一般的なプロセスに関する。したがって、図6Bに関して、図4Aのプロセスが実行され、プロセスが図6Bの600Bに進むと仮定する。600Bで、AT1は、通信セッションのフロアを開放すべきであると判定し、かつAT1は、RAN120を介してアプリケーションサーバ170にフロア解放メッセージを送信する(605B)。アプリケーションサーバ170は、現在フロアが利用可能であることをAT2、、、ATNに通知し(610B)、AT2、、、ATNの少なくとも1つがフロアを要求する(615B)。一方、AT1は、600Bでフロアを解放すべきであると判定したため、やはり、AT1が逆方向リンクTCHを介してデータメッセージを送信するのを停止することを示すデータ停止メッセージをRAN120に送信する(620B)。ただし、AT1は依然として、周期的な逆方向リンクパイロット信号を送信する。RAN120は、データ停止メッセージに応答して、AT1にその送信電力レベル設定値を特定のレベル(たとえば、ATに対してデータイナクティビティ期間の間設定される送信電力レベル設定値)に下げるよう指示する1つまたは複数の電力レベル調整メッセージを送信する(625B)。AT1は、該電力レベル調整メッセージを受信し、それに応じてAT1の送信電力レベル設定値を小さくする。図示されていないが、このことは、AT1のパイロット信号はある期間の間より低い送信電力レベルで送信されることを意味する。しかし、少なくとも一実施形態では、逆方向リンクデータイナクティビティ期間中のAT1のパイロット信号の送信電力レベル設定値をしきい値レベルよりも大きな値に維持することができる。たとえば、AT1のパイロット送信電力レベルが低くなり過ぎた場合、AT1とRAN120との間の「データリンク」が失われる可能性があり、RAN120におけるチャネル要素が割り当て解除され、TCHが切断される恐れがある。したがって、データリンクが失われたことが疑われるかあるいは検出された場合、BTSがBSCに通知することができ、BSCは設定値を大きくすることによってAT1のパイロット電力を増大することができる。AT1の送信電力レベル設定値が人為的に低いレベルに設定されるのは本発明の実施形態だけなので、データリンクが失われることに関する配慮は上述の従来技術ではなされていないことが理解されよう。理解されるように、図6Bおよび6Aに関してそれぞれ、600Bは605に対応し、620Bは610に対応し、625Bは615に対応し、630Bは620に対応する。
【００６８】
一方、アプリケーションサーバ170は、615Bでフロア要求を受信した後、1つのフロア要求を許可すべきであると判定し、AT2、、、ATNの1つにフロア許可メッセージを送信する(635B)。新しいフロアホルダはデータの送信を開始し(640B)、該データは、アプリケーションサーバ170によって、AT1と、AT2、、、ATNのうちで現在のフロアホルダ以外のあらゆる他のグループメンバーに転送され(645B)、各グループメンバーは、通信セッションを開始する(650Bおよび655B)。
【００６９】
図6Cおよび6Dは、図6Bのプロセスのさらなる続きを示している。したがって、図6Cに関して、図6Bの655Bの後において、新しいフロアホルダがこの通信セッション中のある時点でデータの送信を停止する(600C)(たとえば、図示されていないが、RAN120は、AT1に関する図6Aおよび6Bと同様に、推定されたデータ停止メッセージに基づいて新しいフロアホルダの送信電力レベル設定値を小さくしてよい)と仮定する。したがって、アプリケーションサーバ170は、この通信セッションに関するデータの転送を停止する(605C)。しかし、この例では、アプリケーションサーバ170がまだフロアを解放していないと仮定する。AT1が、フロアが利用可能であることを通知されていないにもかかわらず、通信セッションのダウンリンクデータイナクティブ状態がAT1によって検出されるため、フロアは比較的早く解放されると推定することができる。したがって、610Cで通信セッションにおいてデータイナクティブ状態が検出された場合、AT1は、フロアが比較的早く競合可能になると推定することができ、かつデータ開始メッセージを送信する(615C)ことができ、それによって、AT1のユーザがフロア解放通知が着信したときにフロアを要求することに決定した場合、AT1の送信電力レベル設定値を適切なレベルに設定することができる。RAN120は、データ開始メッセージに基づいて測定によって送信統計を取り(620C)、1つまたは複数の電力レベル調整メッセージをAT1に送信してAT1の送信電力レベル設定値をデータ送信に適切なレベルに設定する(625C)。AT1は、電力レベル調整メッセージを受信し、それに応じてAT1の送信電力レベル設定値を調整する(630C)。図6Cには明示的に示されていないが、このことは、TCHを介したAT1のパイロット信号がより高い送信電力レベルで送信されることも意味する。
【００７０】
次に、635Cで、AT1と、AT2、、、ATNのうちのあらゆるグループメンバーは、フロアが競合可能であることを示す通知をアプリケーションサーバ170から受信する。したがって、AT1は、(たとえば、AT1のユーザからのプロンプトに応答して)調整された(すなわち、大きくされた)送信電力レベル設定値に相当する送信電力レベルでフロア要求メッセージを送信する(640C)。当業者には理解されるように、図6Cおよび6Aに関してそれぞれ、610Cは625に対応し、615Cは630に対応し、620Cは635に対応し、625Cは640に対応し、630Cは645に対応し、640Cは655に対応する。
【００７１】
図6Dを参照すると分かるように、図6Bの655Bの後において、新しいフロアホルダがこの通信セッション中のある時点でフロア開放メッセージを送信する(600D)と仮定する。図6Cとは異なり、新しいフロアホルダがフロアを放棄することに決定するまで、AT1によって通信セッションにおけるダウンリンクデータイナクティブ状態が検出されることはないと仮定する。したがって、605Dで、AT1と、AT2、、、ATNのうちのあらゆるグループメンバーは、フロアが競合可能であることを示す通知をRAN120から受信する。フロアが競合可能になっているので、AT1は、以後のフロア要求メッセージがAT1のユーザによってトリガされる可能性があり、それによってデータ送信が行われる可能性が高くなりかつ/あるいは送信が行われる可能性が生じることを認識する。したがって、フロア解放通知を受信することは、AT1がデータを送信することがまもなく必要になることをAT1で検出することとみなされる。したがって、AT1は、データ開始メッセージを送信し(610D)、そのため、AT1のユーザがフロアを要求することに決定した場合、AT1の送信電力レベル設定値が適切なレベルに設定されてよい。理解されるように、ユーザが着信呼または通知に直ちに応答することはまれなので、AT1がデータを送信することが必要になるまでに特定の量の遅延時間が生じる可能性が高く(たとえば、500ms以上)、そのため、AT1の送信電力レベル設定値をデータ送信により適切なレベルに調整するのに十分な時間をかけて610Dのデータ開始メッセージを送信することができる。したがって、RAN120は、データ開始メッセージに基づいて測定によって送信統計を取り(615D)、1つまたは複数の電力レベル調整メッセージをAT1に送信してAT1の送信電力レベル設定値を送信に適切なレベルに設定する(620D)。AT1は、電力レベル調整メッセージを受信し、それに応じてAT1の送信電力レベル設定値を調整する(すなわち、大きくする)(625D)。
【００７２】
次に、AT1は、(たとえば、AT1のユーザからのプロンプトに応答して)調整された送信電力レベル設定値に相当する送信電力レベルでフロア要求メッセージを送信する(630D)。当業者には理解されるように、図6Dおよび6Aに関してそれぞれ、605Dは625に対応し、610Dは630に対応し、615Dは635に対応し、620Dは640に対応し、625Dは645に対応し、630Dは655に対応する。
【００７３】
当業者には理解されるように、図6B〜6Dではデータ開始メッセージおよびデータ停止メッセージをAT1に関してのみ説明したが、これらのメッセージを必要に応じてAT2、、、ATNのいずれかによって送信してもよいことが理解されよう。言い換えれば、図6B〜6DでAT1に関して説明したプロセス(将来のデータ送信に関するATの予想される意図の情報をRAN120に伝達するプロセス)は場合によっては、通信システム100内の他のATに適用することができる。
【００７４】
上述の本発明の実施形態を考慮すれば、データイナクティビティ期間中に生じるATの逆方向リンク送信の送信電力レベル設定値に関連するドリフトまたは誤差を多数の方法で低減させることができることが理解されよう。たとえば、ATは、周期的な低負荷データメッセージをRAN120に送信するように構成してよく、それによって、RAN120が、単にATの送信電力レベル設定値を自動的に大きくする(たとえば、図4B)かあるいは該設定値をまったく変更しない(たとえば、図4C)ことの代わりに、変化する条件に基づいてデータイナクティビティ期間全体にわたって(たとえば、特定のフローまたはTCH、すべてのデータ送信などについて)該設定値を調整することが可能になる。あるいは、ATは、AT1がデータの送信を停止するのはいつかに関する情報(たとえば、データ停止信号)および/またはAT1が再びデータの送信を開始することが予想されるのはいつかに関する情報(たとえば、データ開始信号)をRAN120に伝達するように構成されてよい。このように、逆方向リンクデータイナクティビティ期間の間AT1の送信電力レベル設定値を小さくして、TCH上のパイロット信号送信電力を低下させることができ、かつ最初のデータ送信は、RAN120による測定によって得られた送信統計の目標レベルに基づいて適切な送信電力レベルで適切な時間に行えるように、AT1の送信電力レベル設定値を適切なレベルに再設定することができる。
【００７５】
また、上記では詳しく説明していないが、ATが特定の電力レベル調整メッセージに応答してATの送信電力レベル設定値を調整する程度は、RAN120によって1つまたは複数の基準に基づいて動的に設定されてよい。たとえば、設定値ステップサイズは、引用によって本明細書に全体的に組み込まれる「A Reverse Link Outer-Loop Power Control Algorithm for CDMA2000 1xEVsystems」Rashid AttarおよびE.Esteves著、2002年8月7日発行、Communications, 2002. ICC 2002. IEEE International Conference、573-578頁内に記載されている方法に基づいて設定されてよい。上記の組み込まれた論文は、パケットの連続ストリーム(CRCイベント)に基づいて送信電力レベル設定値を調整するように作用する、音声システム向けに開発された逆方向リンクアウターループ電力制御(ROLPC)アルゴリズムについて説明しており、このアルゴリズムでは、設定値が、パケットが存在しないときには控えめにチャネルに適合され、送信の開始時に高速に収束する。
【００７６】
また、上記では「理想的な」あるいは「適切な」送信電力レベル設定値を参照しているが、このレベルがATについての目標送信統計に対するレベルであることが理解されよう。ATについての実際の送信統計(たとえば、PER、SINRなど)は、RAN120における測定によって得られ、目標送信統計と比較され、送信電力レベル設定値が必要に応じて、送信統計を目標送信統計に近い値に維持するように調整される。他の例では、目標送信統計と(たとえば、時間とともに条件が変化するにつれて著しく変わってよい)「理想的な」送信電力レベル設定値は、範囲に相当してよく、互いに離散した点または特定の点には相当しない。
【００７７】
当業者には、情報および信号を様々な異なる技術のいずれかを使用して表せることが理解されよう。たとえば、上記の説明全体にわたって引用されることもあるデータ、命令、コマンド、情報、信号、ビット、記号、およびチップは、電圧、電流、電磁波、磁界または磁性粒子、光場または光学粒子、またはそれらの任意の組み合わせによって表されてよい。
【００７８】
また、当業者には、本明細書で開示された実施形態に関連して説明した様々な例示的な論理ブロック、モジュール、回路、およびアルゴリズムステップが電子ハードウェア、コンピュータソフトウェア、または電子ハードウェアとコンピュータソフトウェアの組み合わせとして実現されてよいことが理解されよう。ハードウェアとソフトウェアのこの互換性を明確に示すために、上記では、様々な例示的な構成要素、ブロック、モジュール、回路、およびステップを機能に関して概略的に説明した。そのような機能がハードウェアとして実現されるかそれともソフトウェアとして実現されるかは、システム全体に課される、アプリケーションおよび構成に関する特定の制約に応じて決まる。当業者は、前述の機能を特定のアプリケーションごとに様々な方法で実現してよいが、そのような実現上の決定を本発明の範囲から逸脱させるものと解釈すべきではない。
【００７９】
本明細書で開示された実施形態に関連して説明した様々な例示的な論理ブロック、モジュール、および回路は、本明細書で説明した機能を実行するように構成された汎用プロセッサ、デジタル信号プロセッサ(DSP)、特定用途向け集積回路(ASIC)、フィールドプログラマブル論理デバイス(FPGA)または他のプログラマブル論理デバイス、離散ゲートまたはトランジスタ論理、離散ハードウェア構成要素、あるいはそれらの任意の組み合わせによって実現または実行されてもよい。汎用プロセッサはマイクロプロセッサであってよいが、該プロセッサは、任意の従来のプロセッサ、コントローラ、マイクロコントローラ、または状態マシンであってよい。プロセッサは、コンピューティングデバイスの組み合わせ、たとえば、DSPとマイクロプロセッサの組み合わせ、複数のマイクロプロセッサの組み合わせ、1つまたは複数のマイクロプロセッサとDSPコアと組み合わせ、あるいはそのような任意の他の構成として実現されてもよい。
【００８０】
本明細書で開示された実施形態に関連して説明した方法、シーケンス、および/またはアルゴリズムは、ハードウェアで直接実現するか、プロセッサによって実行されるソフトウェアモジュールで実現されるか、あるいはハードウェアとソフトウェアモジュールの組み合わせで実現されてよい。ソフトウェアモジュールは、RAMメモリ、フラッシュメモリ、ROMメモリ、EPROMメモリ、EEPROMメモリ、レジスタ、ハードディスク、取り外し可能なディスク、CD-ROM、または当技術分野で公知である任意の他の形態の記憶媒体に存在してよい。例示的な記憶媒体は、プロセッサが該記憶媒体から情報を読み取りかつ該記憶媒体に情報を書き込むことができるようにプロセッサに結合されている。あるいは、記憶媒体はプロセッサと一体であってもよい。プロセッサと記憶媒体はASIC内に存在してよい。ASICはユーザ端末(アクセス端末)内に存在してよい。あるいは、プロセッサと記憶媒体は、ユーザ端末内の互いに離散した構成要素として存在してよい。
【００８１】
1つまたは複数の例示的な実施形態では、前述の機能は、ハードウェア、ソフトウェア、またはハードウェアとソフトウェアの任意の組み合わせで実現されてよい。該機能をソフトウェアで実現する場合、各機能は、コンピュータ可読媒体上に記憶されてもあるいは1つまたは複数の命令またはコードを介してコンピュータ可読媒体上に送信されてもよい。コンピュータ可読媒体は、コンピュータ記憶媒体と、コンピュータプログラムのある場所から他の場所への転送を容易にする通信媒体の両方を含んでよい。記憶媒体は、コンピュータによってアクセスできる利用可能な任意の媒体であってよい。制限ではなく一例として、そのようなコンピュータ可読媒体は、RAM、ROM、EEPROM、CD-ROMまたは他の光学ディスクストレージ、磁気ディスクストレージまたは他の磁気記憶デバイス、あるいはコンピュータによってアクセスできる命令またはデータ構造の形で所望のプログラムコードを保持または記憶するのに使用できる任意の他の媒体を備えてよい。また、任意の接続が適宜コンピュータ可読媒体と呼ばれる。たとえば、ソフトウェアが、同軸ケーブル、光ファイバケーブル、ツイストペア、デジタル加入者線(DSL)、または赤外線、無線、およびマイクロ波のような無線技術を使用してウェブサイト、サーバ、または他のリモートソースから送信される場合、同軸ケーブル、光ファイバケーブル、ツイストペア、DSL、または赤外線、無線、およびマイクロ波のような無線技術が媒体の定義に含まれる。本明細書で使用されているディスク(diskおよびdisc)は、コンパクトディスク(CD)(disc)、レーザディスク(disc)、光ディスク(disc)、デジタル多用途ディスク(DVD)(disc)、フロッピィディスク(disk)、およびブルーレイディスク(disc)を含み、diskは通常、データを磁気的に再生し、一方、discはデータをレーザによって光学的に再生する。上記のディスクの組み合わせもコンピュータ可読媒体の範囲内に含めるべきである。
【００８２】
上記の開示は、本発明の例示的な実施形態を示しているが、本明細書では、添付の特許請求の範囲によって定義される本発明の範囲から逸脱せずに様々な変更および修正を施せることに留意されたい。本明細書で説明した本発明の実施形態による方法クレームの機能、ステップ、および/または処置を任意の特定の順序で実行する必要はない。さらに、本発明の各要素は単数形で記載または請求されているが、単数形に限定されることが明示的に述べられていないかぎり複数形も考えられる。
【符号の説明】
【００８３】
100  無線システム
102  携帯電話
104  無線インタフェース
108  パーソナルデジタルアシスタント
110  ポケットベル
112  コンピュータプラットフォーム
120  無線アクセスネットワーク
122  基地局コントローラ/パケット制御機能
124  基地局
126  キャリアネットワーク
160  パケットデータサービングノード
165    ブロードキャストサービングノード
170  アプリケーションサーバ
175  インタネット
200  アクセス端末
202  プラットフォーム
206  トランシーバ
208  特定用途向け集積回路
212  メモリ
214  ローカルデータベース
222  アンテナ
224  ディスプレイ
226  キーパッド
228  プッシュトゥトークボタン
AT  アクセス端末
BSC  基地局コントローラ
RAN  無線アクセスネットワーク
TCH  トラフィックチャネル
【図１】
0005335132.tif 000002
【図２】
0005335132.tif 000003
【図３】
0005335132.tif 000004
【図４Ａ】
0005335132.tif 000005
【図４Ｂ】
0005335132.tif 000006
【図４Ｃ】
0005335132.tif 000007
【図５Ａ】
0005335132.tif 000008
【図５Ｂ】
0005335132.tif 000009
【図６Ａ】
0005335132.tif 000010
【図６Ｂ】
0005335132.tif 000011
【図６Ｃ】
0005335132.tif 000012
【図６Ｄ】
0005335132.tif 000013